(57)【要約】【課題】室外ファンの回転数の制御による各室外ユニット相互の運転のばらつきを抑制する。【解決手段】圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えている。高圧側圧力センサ（21a）は、室外ユニット（3a）の冷媒の高圧圧力（Ph）を検出する。高圧側圧力センサ（21a）で検出された高圧圧力（Ph）が目標高圧値（Pta）になるように、各室外ファン（16a,16b,16c）の回転数を同時に増減させる。【選択図】図４
2012122724.tif 000002
【特許請求の範囲】
【請求項１】
圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えた空気調和装置であって、
上記室外ユニット（3a）の冷媒の高圧圧力（Ph）を検出する高圧側圧力センサ（21a）と、
上記高圧側圧力センサ（21a）で検出された高圧圧力（Ph）が目標高圧値（Pta）になるように、上記各室外ファン（16a,16b,16c）の回転数を同時に増減させる高圧制御手段（32）とを備えていることを特徴とする空気調和装置。
【請求項２】
請求項１の空気調和装置において、
上記高圧制御手段（32）は、各室外ファン（16a,16b,16c）の回転数を上記各室外熱交換器（13a,13b,13c）の出口側での冷媒の過冷却度が互いに同じになるように予め設定した各室外ファン（16a,16b,16c）の回転数の組毎に制御することを特徴とする空気調和装置。
【請求項３】
請求項１又は２の空気調和装置において、
上記各室外熱交換器（13a,13b,13c）の出口側での冷媒の過冷却度を検出する過冷却度検出手段（33）と、
上記過冷却度検出手段（33）で検出された過冷却度に基づいて室外ファン（16a,16b,16c）の回転数を個別に制御する個別制御手段（34）とをさらに備えていることを特徴とする空気調和装置。
【請求項４】
請求項３の空気調和装置において、
上記個別制御手段（34）は、上記各過冷却度が互いに同じになるように各室外ファン（16a,16b,16c）の回転数を増減させることを特徴とする空気調和装置。
【請求項５】
圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えた空気調和装置であって、
上記室外ユニット（3a,3b,3c）の高圧圧力（Ph）を検出する高圧側圧力センサ（21a）と、
上記高圧側圧力センサ（21a）で検出した高圧圧力（Ph）が目標高圧値（Pta）になるように、上記各室外ファン（16a,16b,16c）の容量に基づいて設定した優先度で室外ファン（16a,16b,16c）の回転数を増減させる優先度制御手段（35）とをさらに備えていることを特徴とする空気調和装置。
【請求項６】
請求項５の空気調和装置であって、
上記各室外熱交換器（13a,13b,13c）の出口側での冷媒の過冷却度を検出する過冷却度検出手段（33）と、
上記過冷却度検出手段（33）で検出された過冷却度に基づいて室外ファン（16a,16b,16c）の回転数を個別に制御する個別制御手段（34）とをさらに備えていることを特徴とする空気調和装置。
【発明の詳細な説明】
【技術分野】
【０００１】
本発明は、室内ユニットに対して互いに並列な複数の室外ユニットが接続された空気調和装置に関するものである。
【背景技術】
【０００２】
近年、空気調和装置には高い空調性能が要求されており、室内ユニットの空調負荷の増大に伴って、複数の室外ユニットを並列につないで空気調和装置の容量のシステムアップを図るものが知られている（例えば、特許文献１参照）。
【０００３】
そして、上記のような空気調和装置では、各室外ユニットの室外熱交換器における冷媒の凝縮量を適切なものにするために、室外ファンの回転数を増減させて室外熱交換器の熱交換能力を制御している。
【先行技術文献】
【特許文献】
【０００４】
【特許文献１】特開平９−１１９７３６号公報
【発明の概要】
【発明が解決しようとする課題】
【０００５】
上記のような複数の室外ユニットを有する空気調和装置では、各室外ユニットの圧縮機の吐出圧（高圧圧力）を高圧センサーによりそれぞれ検出し、各高圧圧力の増減に伴って各室外ファンの回転数を制御している。
【０００６】
しかし、各室外ユニット毎に高圧圧力を検出して制御を行うと、各室外ファンの容量が互いに異なる場合は特に、各室外ファンの回転数に偏りが生じてしまう等、各室外ユニットの運転バランスが悪くなるという問題が生じる。
【０００７】
本発明は、かかる点に鑑みてなされたものであり、その目的とするところは、室外ファンの回転数の制御による各室外ユニット相互の運転のばらつきを抑制することにある。
【課題を解決するための手段】
【０００８】
上記目的を達成するために、第１の発明に係る空気調和装置は、圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えた空気調和装置であって、上記室外ユニット（3a）の冷媒の高圧圧力（Ph）を検出する高圧側圧力センサ（21a）と、上記高圧側圧力センサ（21a）で検出された高圧圧力（Ph）が目標高圧値（Pta）になるように、上記各室外ファン（16a,16b,16c）の回転数を同時に増減させる高圧制御手段（32）とを備える構成とした。
【０００９】
上記の構成によると、高圧制御手段（32）は、高圧側圧力センサ（21a）で検出した、複数の室外ユニット（3a,3b,3c）のうちのいずれかの室外ユニット（3a）の高圧圧力（Ph）、すなわち冷凍サイクル全体の高圧に基づき、この高圧圧力（Ph）が目標高圧値（Pta）になるように室外ファン（16a,16b,16c）の回転数を増減させる。各室外ファン（16a,16b,16c）の回転数を個別に増減させずに、全ての室外ファン（16a,16b,16c）の回転数を同時に増減させるので、各室外ファン（16a,16b,16c）の容量が相互に異なる場合でも、各室外ユニット（3a,3b,3c）の運転のばらつきが抑制される。
【００１０】
具体的には、高圧側圧力センサ（21a）で検出された高圧圧力（Ph）が目標高圧値（Pta）よりも高い場合は、室外ファン（16a,16b,16c）の回転数を増やして放熱量を多くし、高圧圧力（Ph）を下げる制御をする。
【００１１】
一方、検出された高圧圧力（Ph）が目標高圧値（Pta）よりも低い場合は、室外ファン（16a,16b,16c）の回転数を減らして放熱量を少なくし、高圧圧力（Ph）を上げる制御をする。
【００１２】
第２の発明に係る空気調和装置は、上記第１の発明に係る空気調和装置において、上記高圧制御手段（32）は、各室外ファン（16a,16b,16c）の回転数を上記各室外熱交換器（13a,13b,13c）の出口側での冷媒の過冷却度が互いに同じになるように予め設定した各室外ファン（16a,16b,16c）の回転数の組毎に制御する。
【００１３】
上記の構成によると、高圧制御手段（32）による室外ファン（16a,16b,16c）の回転数の制御は、過冷却度が互いに同じになるように予め設定した室外ファン（16a,16b,16c）の回転数の組の増減であるので、高圧圧力（Ph）に基づいて室外ファン（16a,16b,16c）の回転数を制御したときに、各室外ファン（16a,16b,16c）の容量が相互に異なる場合でも、各室外熱交換器（13a,13b,13c）の過冷却度のばらつきが抑制される。
【００１４】
具体的には、高圧側圧力センサ（21a）で検出された高圧圧力（Ph）が目標高圧値（Pta）よりも高い場合は、室外ファン（16a,16b,16c）の回転数の組を現在の組よりも回転数の多い組に決定し、各室外ファン（16a,16b,16c）の回転数を組に対応した回転数に増やす。
【００１５】
一方、検出された高圧圧力（Ph）が目標高圧値（Pta）よりも低い場合は、室外ファン（16a,16b,16c）の回転数の組を現在の組よりも回転数の少ない組に決定し、各室外ファン（16a,16b,16c）の回転数を組に対応した回転数に減らす。
【００１６】
第３の発明に係る空気調和装置は、上記第１又は第２の発明に係る空気調和装置において、上記各室外熱交換器（13a,13b,13c）の出口側での冷媒の過冷却度を検出する過冷却度検出手段（33）と、上記過冷却度検出手段（33）で検出された過冷却度に基づいて室外ファン（16a,16b,16c）の回転数を個別に制御する個別制御手段（34）とをさらに備えている。
【００１７】
上記の構成によると、高圧制御手段（32）によって室外ユニット（3a,3b,3c）の高圧圧力（Ph）に基づいて室外ファン（16a,16b,16c）の回転数を全て同時に制御するとともに、個別制御手段（34）によって各室外熱交換器（13a,13b,13c）の過冷却度に基づいて各室外ファン（16a,16b,16c）を個別に制御する。
【００１８】
すなわち、高圧制御手段（32）で用いる高圧圧力（Ph）は１つの室外ユニット（3a）で検出したもので、冷凍サイクル全体の高圧を示し、個々の室外ユニット（3a,3b,3c）の状況は反映されていない。この高圧制御手段（32）は、冷凍サイクル全体の高圧（Ph）で全ての室外ファン（16a,16b,16c）を制御することで、各室外ユニット（3a,3b,3c）の運転のばらつきを抑制するものである。
【００１９】
第３の発明の構成では、上記高圧制御手段（32）に加えて、さらに、実際に検出した各室外熱交換器（13a,13b,13c）の過冷却度に基づいて各室外ファン（16a,16b,16c）の回転数を個別に制御することで、各室外ユニット（3a,3b,3c）の運転のばらつきがさらに抑制される。
【００２０】
第４の発明に係る空気調和装置は、上記第３の発明に係る空気調和装置において、上記個別制御手段（34）は、上記各過冷却度が互いに同じになるように各室外ファン（16a,16b,16c）の回転数を増減させる。
【００２１】
上記の構成によると、個別制御手段（34）で、実際の過冷却度を検出して、この過冷却度が互いに同じになるように制御することで、各過冷却度のばらつきが抑制される。
【００２２】
第５の発明に係る空気調和装置は、圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えた空気調和装置であって、上記室外ユニット（3a,3b,3c）の高圧圧力（Ph）を検出する高圧側圧力センサ（21a）と、上記高圧側圧力センサ（21a）で検出した高圧圧力（Ph）が目標高圧値（Pta）になるように、上記各室外ファン（16a,16b,16c）の容量に基づいて設定した優先度で室外ファン（16a,16b,16c）の回転数を増減させる優先度制御手段（35）とをさらに備える構成とした。
【００２３】
上記の構成によると、高圧側圧力センサ（21a）で複数の室外ユニット（3a,3b,3c）のうちのいずれかの室外ユニット（3a）の高圧圧力（Ph）を検出し、この高圧圧力（Ph）が目標高圧値（Pta）になるように室外ファン（16a,16b,16c）の回転数の増減を決定する。このとき、全ての室外ファン（16a,16b,16c）の回転数を同時に増減させるのではなく、優先度制御手段によって、各室外ファン（16a,16b,16c）の容量に基づいて予め設定した優先度でもって室外ファン（16a,16b,16c）の回転数を順に増減させる。
【００２４】
具体的には、高圧圧力（Ph）が目標高圧値（Pta）よりも大きい場合、室外ファン（16a,16b,16c）の回転数を増やして高圧圧力（Ph）を下げる制御をする。この際には、例えば、過冷却度がつきにくいと考えられる、室外ファン（16a）の容量の小さいものから優先度を高く設定し、この優先度の高いものから室外ファン（16a,16b,16c）の回転数を増やす。容易に過冷却度がついてしまう室外ファン（16c）から回転数を増やすと、他の過冷却度との間に差が大きくあいてしまうため、このように過冷却度のつきにくい室外ファン（16a）から優先度を高く設定することで、各室外ユニット（3a,3b,3c）における過冷却度のばらつきが抑制される。
【００２５】
一方、高圧圧力（Ph）が目標高圧値（Pta）よりも小さい場合、室外ファン（16a,16b,16c）の回転数を減らして高圧圧力（Ph）を上げる制御をする。この際、容量の小さい室外ファン（16a）から回転数を減らすと、過冷却度がつかなくなる場合が考えられるため、例えば、回転数を減らしても影響が小さいと考えられる容量の大きい室外ファン（16c）から優先度を高く設定する。
【００２６】
このように、過冷却度を検出せずに高圧圧力（Ph）のみに基づいて室外ファン（16a,16b,16c）の回転数制御を行う場合においても、各室外ファン（16a,16b,16c）の容量に基づいた優先度でもって制御することにより、容量の互いに異なる室外ファン（16a,16b,16c）であっても過冷却度のばらつきが抑制される。
【００２７】
第６の発明に係る空気調和装置は、上記第５の発明に係る空気調和装置において、上記各室外熱交換器（13a,13b,13c）の出口側での冷媒の過冷却度を検出する過冷却度検出手段（33）と、上記過冷却度検出手段（33）で検出された過冷却度に基づいて室外ファン（16a,16b,16c）の回転数を個別に制御する個別制御手段（34）とをさらに備えている。
【００２８】
上記の構成によると、優先度制御手段（35）によって優先度で冷媒の高圧圧力（Ph）を基準とした室外ファン（16a,16b,16c）の回転数の制御を行うとともに、実際の各室外熱交換器（13a,13b,13c）の過冷却度を検出し、この過冷却度に基づいて室外ファン（16a,16b,16c）の回転数を個別に制御する。
【００２９】
すなわち、高圧圧力（Ph）を基に優先度の順に室外ファン（16a,16b,16c）の回転数を増減することで各室外ユニット（3a,3b,3c）の運転のばらつきが抑制されるとともに、検出した過冷却度に基づいて個別に室外ファン（16a,16b,16c）を制御することで各室外ユニット（3a,3b,3c）の過冷却度のばらつきも抑制される。
【発明の効果】
【００３０】
上記第１の発明によれば、各室外ユニット（3a,3b,3c）毎の高圧側圧力センサ（21a）で検出された高圧圧力に基づいて個別に各室外ファン（16a,16b,16c）の回転数を制御するのではなく、冷凍サイクル全体の１つの高圧圧力（Ph）に基づいて全ての室外ファン（16a,16b,16c）の回転数を同時に増減させるので、各室外ファン（16a,16b,16c）の容量が相互に異なる場合でも、各室外ユニット（3a,3b,3c）の運転のばらつきを抑制することができる。
【００３１】
上記第２の発明によれば、室外ファン（16a,16b,16c）の回転数を各室外熱交換器（13a,13b,13c）の過冷却度が互いに同じになるように予め設定された組で増減するため、高圧圧力（Ph）に基づいて室外ファン（16a,16b,16c）の回転数を制御したときに、各過冷却度のばらつきが抑制され、各室外ユニット（3a,3b,3c）における冷媒の循環量の差を小さくすることができる。
【００３２】
上記第３の発明によれば、高圧制御手段（32）によって高圧圧力（Ph）に基づいて制御するとともに、個別制御手段（34）によって実際の過冷却度に基づいて室外ファン（16a,16b,16c）の回転数を制御するので、室外ユニット（3a,3b,3c）の運転のばらつきをさらに抑制することができる。
【００３３】
上記第４の発明によれば、個別制御手段（34）によって実際の各過冷却度が互いに同じになるように制御するので、各過冷却度のばらつきがより一層抑制され、各室外ユニット（3a,3b,3c）における冷媒の循環量の差をさらに小さくすることができる。
【００３４】
上記第５の発明によれば、冷媒の高圧圧力（Ph）に基づいて室外ファン（16a,16b,16c）の回転数を制御する際に、室外ファン（16a,16b,16c）の容量に基づいて設定した優先度でもって室外ファン（16a,16b,16c）の回転数を順に増減させるので、室外ファン（16a,16b,16c）の運転のばらつきを抑制することができる。
【００３５】
上記第６の発明によれば、高圧圧力（PH）に基づいて優先度順に室外ファン（16a,16b,16c）の回転数を増減させるので、各室外ユニット（3a,3b,3c）の運転のばらつきを抑制することができるとともに、個別制御手段（34）によって、検出した過冷却度に基づいて各室外ファン（16a,16b,16c）の回転数を個別に制御するので、各室外ユニット（3a,3b,3c）の過冷却度のばらつきも抑制することができ、各室外ユニット（3a,3b,3c）の運転のばらつきをさらに抑制することができる。
【図面の簡単な説明】
【００３６】
【図１】本発明の実施形態に係る空気調和装置の全体構成を示す冷媒回路図である。
【図２】実施形態１のコントローラの構成を示すブロック図である。
【図３】記憶装置に記憶された室外ファンの容量毎の回転数のファンステップを示す表である。
【図４】実施形態１の空気調和装置における制御のフローチャートである。
【図５】実施形態２のコントローラの構成を示すブロック図である。
【図６】実施形態２の空気調和装置における制御のフローチャートである。
【図７】実施形態３のコントローラの構成を示すブロック図である。
【図８】実施形態３の空気調和装置における制御のフローチャートである。
【図９】実施形態４のコントローラの構成を示すブロック図である。
【図１０】実施形態４の空気調和装置における制御のフローチャートである。
【発明を実施するための形態】
【００３７】
以下、本発明の実施形態を図面に基づいて詳細に説明する。
【００３８】
《発明の実施形態１》
図１は、本発明の実施形態１に係る空気調和装置（1）の全体構成を示す冷媒回路図である。この空気調和装置（1）は、３台の第１〜第３室内ユニット（2a,2b,2c）と、３台の第１〜第３室外ユニット（3a,3b,3c）と、コントローラ（4）とを備えている。この空気調和装置（1）では、互いに並列に接続された各室内ユニット（2a,2b,2c）と、互いに並列に接続された各室外ユニット（3a,3b,3c）とがガス配管（5）及び液配管（6）によって接続されることで、冷媒回路（7）が構成されている。この冷媒回路（7）では、冷媒が循環することで蒸気圧縮式の冷凍サイクルが行われ、冷房運転又は暖房運転が実行可能となっている。
【００３９】
（室内ユニット）
各室内ユニット（2a,2b,2c）は、第１〜第３室内熱交換器（8a,8b,8c）、第１〜第３室内膨張弁（9a,9b,9c）及び第１〜第３室内ファン（10a,10b,10c）を備えていて、各室内熱交換器（8a,8b,8c）と各室内膨張弁（9a,9b,9c）とが冷媒配管によって接続されることで、冷媒回路（7）の一部である第１〜第３室内側冷媒回路（11a,11b,11c）が構成されている。第１〜第３室内側冷媒回路（11a,11b,11c）の構成は互いに同じである。
【００４０】
上記第１〜第３室内熱交換器（8a,8b,8c）は、伝熱管と多数のフィンとにより構成されたクロスフィン式のフィン・アンド・チューブ型熱交換器である。この第１〜第３室内熱交換器（8a,8b,8c）は、冷房運転時には冷媒の蒸発器として機能して室内の空気を冷却する一方、暖房運転時には冷媒の凝縮器として機能して室内の空気を加熱する。
【００４１】
上記第１〜第３室内膨張弁（9a,9b,9c）は、室内側冷媒回路（11a,11b,11c）内を流れる冷媒の流量の調節等を行うために、第１〜第３室内熱交換器（8a,8b,8c）の液側に接続された電子膨張弁である。各室内ユニット（2a,2b,2c）のガス側端から順に室内熱交換器（8a,8b,8c）と室内膨張弁（9a,9b,9c）とが設けられている。
【００４２】
上記第１〜第３室内熱交換器（8a,8b,8c）の近傍には第１〜第３室内ファン（10a,10b,10c）がそれぞれ設けられていて、各室内熱交換器（8a,8b,8c）は、冷媒が各室内ファン（10a,10b,10c）によって取り込まれた空気と熱交換するように構成されている。
【００４３】
（室外ユニット）
上記第１〜第３室外ユニット（3a,3b,3c）は互いに並列接続され、ガス配管（5）及び液配管（6）を介して第１〜第３室内ユニット（2a,2b,2c）に接続されている。各室外ユニット（3a,3b,3c）は、第１〜第３圧縮機（12a,12b,12c）、第１〜第３室外熱交換器（13a,13b,13c）、第１〜第３室外膨張弁（14a,14b,14c）、第１〜第３四路切換弁（15a,15b,15c）及び第１〜第３室外ファン（16a,16b,16c）を備えている。これらの室外ユニット（3a,3b,3c）では、圧縮機（12a,12b,12c）、四路切換弁（15a,15b,15c）、室外熱交換器（13a,13b,13c）及び室外膨張弁（14a,14b,14c）が接続されることによって、冷媒回路の一部である第１〜第３室外側冷媒回路（17a,17b,17c）が構成されている。
【００４４】
第１〜第３室外側冷媒回路（17a,17b,17c）の構成は互いに同じであるが、第１室外ユニット（3a）は親室外ユニットとして、また第２及び第３室外ユニット（3b,3c）は子室外ユニットとして構成されていて、各室外ファン（16a,16b,16c）の容量が互いに異なっている。
【００４５】
上記第１〜第３圧縮機（12a,12b,12c）は運転容量が可変なインバータ式であり、第１〜第３室外熱交換器（13a,13b,13c）は、クロスフィン式のフィン・アンド・チューブ型熱交換器である。これらの室外熱交換器（13a,13b,13c）は、冷房運転時には冷媒の凝縮器として機能する一方、暖房運転時には冷媒の蒸発器として機能する。
【００４６】
上記第１〜第３室外膨張弁（14a,14b,14c）は、室外側冷媒回路（17a,17b,17c）内を流れる冷媒の流量の調節等を行うために、第１〜第３室外熱交換器（13a,13b,13c）の液側に接続された電子膨張弁である。
【００４７】
上記第１〜第３四路切換弁（15a,15b,15c）は、冷媒の流れの方向を切り換えるための弁であって４つのポートを有し、第１ポートが各圧縮機（12a,12b,12c）の吐出側と繋がり、第２ポートが各室外熱交換器（13a,13b,13c）のガス側と繋がっている。また、四路切換弁は、第３ポートが各圧縮機（12a,12b,12c）の吸入側と繋がり、第４ポートがガス配管（5）と繋がっている。これらの第１〜第３四路切換弁（15a,15b,15c）は、第１ポートと第２ポートとが連通するとともに、第３ポートと第４ポートとが連通する冷媒運転時の状態（図１の実線で示す状態）と、第１ポートと第４ポートとが連通するとともに、第２ポートと第３ポートとが連通する暖房運転時の状態（図１の破線で示す状態）とに設定が切換可能に構成されている。
【００４８】
上記第１〜第３室外熱交換器（13a,13b,13c）の近傍には第１〜第３室外ファン（16a,16b,16c）がそれぞれ設けられていて、各室外熱交換器（13a,13b,13c）は、各室外ファン（16a,16b,16c）により供給された室外空気を冷媒と熱交換させるように構成されている。
【００４９】
本発明の第１〜第３室外ファン（16a,16b,16c）は互いに容量が異り、例えば、8HP，10HP，12HP（1），12HP（2），14HP，16HP，18HP等から任意に設定される。ここで、12HP（2），14HP，16HP及び18HPはそれぞれファンを２つ有している。
【００５０】
なお、本実施形態１における室外ファン（16a,16b,16c）は、第１室外ファン（16a）が8HPで、第２室外ファン（16b）が10HPで、また第３室外ファン（16c）が16HPの容量にそれぞれ設定されている。
【００５１】
上記液配管（6）と各室外ユニット（3a,3b,3c）との接続口には、液側閉鎖弁（18a,18b,18c）がそれぞれ設けられている。また、ガス配管（5）と各室外ユニット（3a,3b,3c）との接続口には、ガス側閉鎖弁（19a,19b,19c）がそれぞれ設けられている。液側閉鎖弁（18a,18b,18c）は室外膨張弁（14a,14b,14c）に接続され、ガス側閉鎖弁（19a,19b,19c）は四路切換弁（15a,15b,15c）に接続されている。
【００５２】
各室外ユニット（3a,3b,3c）の室外熱交換器（13a,13b,13c）の液側と室外膨張弁（14a,14b,14c）との間には、冷媒の温度を検出する第１〜第３液側温度センサ（20a,20b,20c）がそれぞれ設けられている。これらの液側温度センサ（20a,20b,20c）は、冷媒配管に取り付けられたサーミスタである。
【００５３】
また、各室外ユニット（3a,3b,3c）の圧縮機（12a,12b,12c）の吐出側に、圧縮機（12a,12b,12c）から吐出された高圧冷媒の高圧圧力（Ph）を検出する第１〜第３高圧側圧力センサ（21a,21b,21c）がそれぞれ設けられている。この高圧側圧力センサ（21a,21b,21c）が検出する圧縮機（12a,12b,12c）の吐出圧力は、冷凍サイクルの高圧を示す指標となる物理量である。
【００５４】
（コントローラ）
上記コントローラ（4）は、図２に示すように、記憶手段（30）、切換手段（31）及び高圧制御手段（32）を備えていて、上記第１高圧側圧力センサ（21a）の検出信号が入力されるようになっている。
【００５５】
上記記憶手段（30）は、図３に示すように、各室外ファン（16a,16b,16c）の容量（馬力）ごとに、室外ファン（16a,16b,16c）の回転数を最大で１４段階のファンステップ（S1,S2,S3）で記憶している。各ファンステップ（S1,S2,S3）における各段階の回転数は、各室外熱交換器（13a,13b,13c）の吐出側での冷媒の過冷却度が互いに同一となるように算出された回転数で組となっている。すなわち、各室外ファン（16a,16b,16c）の回転数を互いに同じ段階のファンステップ（S1,S2,S3）の回転数にすることで（S1=S2=S3）、異なる容量の第１〜第３室外ファン（16a,16b,16c）を有する室外ユニット（3a,3b,3c）の過冷却度が揃うことが想定されている。
【００５６】
本実施形態１の第１〜第３室外ファン（16a,16b,16c）においては、例えば、各ファンステップ（S1,S2,S3）を５とした場合（S1=S2=S3=5）、容量が8HPの第１室外ファン（16a）の回転数が360RPMとなり、容量が10HPの第２室外ファン（16b）の回転数が380RPMとなり、容量が16HPの第３室外ファン（16c）の回転数が380RPMとなる。これらの回転数で各室外ファン（16a,16b,16c）を作動させることにより、各室外ユニット（3a,3b,3c）の過冷却度が揃うことが想定されている。
【００５７】
上記切換手段（31）は、各室外ファン（16a,16b,16c）のファンステップ（S1,S2,S3）を切り換えて、上記記憶手段（30）で記憶した回転数とするように構成されている。
【００５８】
上記高圧制御手段（32）は、親室外ユニットである第１室外ユニット（3a）の第１高圧側圧力センサ（21a）に接続されている。高圧制御手段（32）は、該第１高圧側圧力センサ（21a）で検出された高圧圧力（Ph）を室外側冷媒回路（17a,17b,17c）における冷媒の高圧圧力（Ph）として、該高圧圧力（Ph）と、予め設定された目標高圧値（Pta）とを比較して各室外ファン（16a,16b,16c）のファンステップ（S1,S2,S3）をいずれの組にするかを決定し、上記切換手段（31）にファンステップ（S1,S2,S3）を切り替えさせる制御を行うように構成されている。
【００５９】
（運転動作）
次に、上記空気調和装置（1）の動作について説明する、なお、本実施形態１の空気調和装置（1）のコントローラ（4）による制御は冷房運転時に機能するものであるため、冷房運転のみについて説明する。
【００６０】
冷房運転では、各室外熱交換器（13a,13b,13c）を凝縮器とし、各室内熱交換器（8a,8b,8c）を蒸発器とする冷凍サイクルが行われる。まず、各室外ユニット（3a,3b,3c）の各四路切換弁（15a,15b,15c）は、第１ポートと第２ポートとが連通するとともに、第３ポートと第４ポートとが連通する状態（図１の実線で示す状態）に切り換えられる。
【００６１】
各圧縮機（12a,12b,12c）から吐出した高圧ガス冷媒は、四路切換弁（15a,15b,15c）を通過した後、室外熱交換器（13a,13b,13c）を流れる。各室外熱交換器（13a,13b,13c）では、冷媒が室外空気へ放熱して凝縮し、液冷媒となる。各室外熱交換器（13a,13b,13c）で凝縮した冷媒は、室外膨張弁（14a,14b,14c）を通過して液管で合流し、その後各室内ユニット（2a,2b,2c）へ分流する。
【００６２】
各室内ユニット（2a,2b,2c）においては、冷媒が室内膨張弁（9a,9b,9c）を通過する際に、低圧まで減圧されて低圧ガス冷媒となり、室内熱交換器（8a,8b,8c）に流れて室内空気から吸熱して蒸発し、その結果、各室内ユニット（2a,2b,2c）に対応する室内の冷房が行われる。各室内熱交換器（8a,8b,8c）で蒸発した冷媒がガス配管（5）で合流し、その後各室外ユニット（3a,3b,3c）へ分流する。この循環動作を繰り返して冷媒運転が行われる。
【００６３】
上記冷房運転中には、図４に示すように、上記コントローラ（4）の高圧制御手段（32）によって各室外ファン（16a,16b,16c）の回転数が制御されている。
【００６４】
具体的には、まず、第１高圧側圧力センサ（21a）で検出された第１室外ファン（16a）の高圧圧力（Ph）及び目標高圧値（Pta）の差の絶対値と閾値（Pth）とを比較する（ステップS1）。高圧圧力（Ph）及び目標高圧値（Pta）の差の絶対値が、予め設定された閾値（Pth）よりも小さい場合、制御を終了する。
【００６５】
高圧圧力（Ph）及び目標高圧値（Pta）の差の絶対値が閾値（Pth）以上である場合、高圧圧力（Ph）が目標高圧値（Pta）よりも大きいか小さいかを判断する（ステップS2）。
【００６６】
高圧圧力（Ph）が目標高圧値（Pta）よりも大きい場合、全ての室外ファン（16a,16b,16c）のファンステップ（S1,S2,S3）を同じ段階だけ上げる（ステップS3）。
【００６７】
具体的には、高圧制御手段（32）が上げるファンステップ（S1,S2,S3）の組を決定し、上記切換手段（31）に、各室外ファン（16a,16b,16c）の回転数を該組に対応するファンステップ（S1,S2,S3）に切り替えさせる。この際、高圧圧力（Ph）と目標高圧値（Pta）との差の程度によって上げるファンステップ（S1,S2,S3）の組を決定する。このように、各ファンステップ（S1,S2,S3）を上げて室外ファン（16a,16b,16c）の回転数を増やすことで放熱量を多くし、高圧圧力（Ph）を下げるように制御する。
【００６８】
一方、高圧圧力（Ph）が目標高圧値（Pta）よりも小さい場合、全ての室外ファン（16a,16b,16c）のファンステップ（S1,S2,S3）を同じ段階だけ下げる（ステップS4）。この際も同様に、高圧制御手段（32）が下げるファンステップ（S1,S2,S3）の組を決定し、切換手段（31）に各室外ファン（16a,16b,16c）の回転数を該ファンステップ（S1,S2,S3）に切り替えさせる。このように、各ファンステップ（S1,S2,S3）を下げて室外ファン（16a,16b,16c）の回転数を減らすことで放熱量を少なくし、高圧圧力（Ph）を上げるように制御する。
【００６９】
上記ステップS1からステップS4までの制御を冷房運転時に任意の間隔を空けて繰り返し行う。
【００７０】
（実施形態１の効果）
本実施形態１の空気調和装置（1）によれば、高圧制御手段（32）が第１高圧側圧力センサ（21a）で検出した高圧圧力（Ph）、すなわち冷凍サイクル全体の高圧に基づいて、、この高圧圧力（Ph）が目標高圧値（Pta）になるように各室外ファン（16a,16b,16c）の回転数を増減させる。回転数の増減は、各室外ファン（16a,16b,16c）のファンステップ（S1,S2,S3）を個別に増減させずに、全ての室外ファン（16a,16b,16c）のファンステップ（S1,S2,S3）を同時に増減させるので、各室外ファン（16a,16b,16c）の容量が相互に異なっても、各室外ユニット（3a,3b,3c）の運転のばらつきを抑制することができる。
【００７１】
また、高圧制御手段（32）によって、各室外ユニット（3a,3b,3c）の過冷却度が互いに同じになるように予め設定した室外ファン（16a,16b,16c）のファンステップ（S1,S2,S3）の組で増減するので、高圧圧力（Ph）に基づいた制御によって、各室外ユニット（3a,3b,3c）の過冷却度のばらつきを抑制することができ、各室外ユニット（3a,3b,3c）における冷媒の循環量の差を小さくすることができる。
【００７２】
《発明の実施形態２》
次に、本発明の実施形態２に係る空気調和装置（1）について説明する。
【００７３】
本実施形態２の空気調和装置（1）は、室内ユニット（2a,2b,2c）及び室外ユニット（3a,3b,3c）の構成は上記実施形態１と同じであり、コントローラ（4）の構成及び制御方法が実施形態１と異なる。なお、実施形態１と同じ構成要素については同じ符号を付し、同じ部分については、その詳細な説明は省略する。
【００７４】
上記コントローラ（4）は、図５に示すように、記憶手段（30）、切換手段（31）及び高圧制御手段（32）に加えて、過冷却度検出手段（33）及び個別制御手段（34）を備えている。記憶手段（30）、切換手段（31）及び高圧制御手段（32）は上記実施形態１と同じ構成となっている。
【００７５】
上記過冷却度検出手段（33）は、上記第１〜第３液側温度センサ（20a,20b,20c）と第１〜第３高圧側圧力センサ（21a,21b,21c）とに接続されており、各液側温度センサ（20a,20b,20c）によって検出された冷媒の温度と、各高圧側圧力センサ（21a,21b,21c）によって検出された圧力とに基づいて、凝縮器として機能する各室外熱交換器（13a,13b,13c）の液側（吐出側）での冷媒の過冷却度を算出する。具体的には、高圧側圧力センサ（21a,21b,21c）の検出値における冷媒の相当飽和温度を算出し、その相当飽和温度から、各室外熱交換器（13a,13b,13c）の出口における冷媒温度である液側温度センサ（20a,20b,20c）で検出された冷媒温度の実測値を差し引いて得られる値を冷媒の過冷却度として算出する。
【００７６】
上記個別制御手段（34）は、上記過冷却度検出手段（33）で検出された各室外ユニット（3a,3b,3c）の過冷却度に基づいて、各室外ファン（16a,16b,16c）のファンステップ（S1,S2,S3）を個別に制御するように構成されている。
【００７７】
具体的には、この個別制御手段（34）は、高圧圧力（Ph）及び目標高圧値（Pta）の差の絶対値が閾値（Pth）よりも小さくなるまで上記高圧制御手段（32）においてファンステップ（S1,S2,S3）の制御を行った後、さらに各室外ファン（16a,16b,16c）について、過冷却度に基づいた個別のファンステップ（S1,S2,S3）の制御を行うものである。
【００７８】
以下、上記個別制御手段（34）による制御について、図６に基づいて説明する。
【００７９】
まず、親室外ユニットである第１室外ユニット（3a）における第１高圧側圧力センサ（21a）で検出した高圧圧力（Ph）及び予め定められた目標高圧値（Pta）の差の絶対値と、予め定められた閾値（Pth）とを比較する（ステップS5）。
【００８０】
高圧圧力（Ph）及び目標高圧値（Pta）の差の絶対値が閾値（Pth）以上である場合、上記高圧制御手段（32）による制御を行う（ステップS6）。この高圧制御手段（32）による制御（図４に示す制御）を行った後、ステップS5に戻る。
【００８１】
高圧圧力（Ph）及び目標高圧値（Pta）の差の絶対値が閾値（Pth）よりも小さい場合、過冷却度検出手段（33）において、各室外熱交換器（13a,13b,13c）の過冷却度を検出する（ステップS7）。
【００８２】
次に、上記過冷却度検出手段（33）において検出した過冷却度のうち、最大過冷却度（SCmax）及び最小過冷却度（SCmin）の差と予め設定された閾値（SCth）とを比較する（ステップS8）。最大過冷却度（SCmax）及び最小過冷却度（SCmin）の差が閾値（SCth）以下である場合、制御を終了する。
【００８３】
最大過冷却度（SCmax）及び最小過冷却度（SCmin）の差が閾値（SCth）よりも大きい場合、最小過冷却度（SCmin）が検出された室外ユニット（3n）の室外ファン（16n）のファンステップ（Sn）を１つ上げる（Sn=Sn+1）（ステップS9）。
【００８４】
次に、ステップS8に戻り、再び最大過冷却度（SCmax）及び最小過冷却度（SCmin）の差と閾値（SCth）とを比較する。最大過冷却度（SCmax）及び最小過冷却度（SCmin）の差が閾値（SCth）よりも小さい場合、制御を終了する。
【００８５】
最大過冷却度（SCmax）及び最小過冷却度（SCmin）の差が未だ閾値（SCth）以上である場合、最大過冷却度（SCmax）及び最小過冷却度（SCmin）の差が閾値（SCth）よりも小さくなるまで、ステップS9で最小過冷却度（SCmin）が検出された室外ユニット（3n）の室外ファン（16n）のファンステップ（Sn）を１つ上げる制御を繰り返す。
【００８６】
このように、上記個別制御手段（34）においては、各過冷却度の差が小さくなるように、すなわち、各冷却度が互いに同じとなるように各室外ファン（16a,16b,16c）のファンステップ（S1,S2,S3）を制御する。
【００８７】
上記ステップS5からステップS9までの制御を冷房運転時に任意の間隔を空けて繰り返し行う。
【００８８】
（実施形態２の効果）
本実施形態２の空気調和装置（1）によれば、高圧制御手段（32）によって、各室外ユニット（3a,3b,3c）の運転のばらつきを抑制しながら、高圧圧力（Ph）を目標高圧値（Pta）となるように室外ファン（16a,16b,16c）のファンステップ（S1,S2,S3）を制御している。さらに、個別制御手段（34）によって、過冷却度検出手段（33）で検出した各室外ユニット（3a,3b,3c）の過冷却度の差が小さくなるように室外ファン（16a,16b,16c）のファンステップ（S1,S2,S3）を制御している。
【００８９】
このため、各室外ユニット（3a,3b,3c）の運転のばらつきを抑制することができるとともに、検出した過冷却度に基づいて各過冷却度が同じになるように制御するので、各室外ファン（16a,16b,16c）の容量が相互に異なっても、過冷却度のばらつきをより一層抑制することができ、各室外ユニット（3a,3b,3c）における冷媒の循環量の差を小さくすることができる。
【００９０】
《発明の実施形態３》
次に、本発明の実施形態３に係る空気調和装置（1）について説明する。
【００９１】
本実施形態３の空気調和装置（1）は、室内ユニット（2a,2b,2c）及び室外ユニット（3a,3b,3c）の構成は上記実施形態１と同じであり、コントローラ（4）の構成及び制御方法が実施形態１と異なる。なお、実施形態１と同じ構成要素については同じ符号を付し、同じ部分については、その詳細な説明は省略する。
【００９２】
コントローラ（4）は、図７に示すように、記憶手段（30）、切換手段（31）及び優先度制御手段（35）を備えている。記憶手段（30）及び切換手段（31）は上記実施形態１と同じ構成となっている。
【００９３】
上記優先度制御手段（35）は、第１高圧側圧力センサ（21a）で検出した高圧圧力（Ph）が目標高圧値（Pta）になるように、第１〜第３室外ファン（16a,16b,16c）の容量に基づいて予め設定した優先度でもって第１〜第３室外ファン（16a,16b,16c）のファンステップ（S1,S2,S3）を増減するように構成されている。
【００９４】
具体的には、上記優先度は、各室外ユニット（3a,3b,3c）における、いわゆる過冷却度のつきやすさを基準に設定する。この過冷却度のつきやすさは、各室外ファン（16a,16b,16c）の容量や、その室外ファン（16a,16b,16c）に対応する室外熱交換器（13a,13b,13c）の熱交換能力の大小等に関係する。本実施形態３においては、互いに容量の異なる第１〜第３室外ファン（16a,16b,16c）において、容量の小さいものほど過冷却度がつきにくいものとして優先度を決定する。なお、本実施形態３においては、第１室外ファン（16a）の容量は8HP、第２室外ファン（16b）の容量は10HP、第３室外ファン（16c）の容量は18HPとなっている。
【００９５】
第１高圧側圧力センサ（21a）で検出した高圧圧力（Ph）が目標高圧値（Pta）よりも高い場合、高圧圧力（Ph）を下げるためにファンステップ（Sn）を上げて回転数を増やす。ファンステップ（Sn）を上げる場合は、第１室外ファン（16a）、第２室外ファン（16b）、第３室外ファン（16c）の順に優先度を高く設定する。
【００９６】
すなわち、第１〜第３室外ファン（16a,16b,16c）のうち最も容量の小さく、過冷却度がつきにくいと考えられる第１室外ファン（16a）の第１ファンステップ（S1）から上げることで、各室外ユニット（3a,3b,3c）の過冷却度のばらつきを抑制する。
【００９７】
一方、高圧圧力（Ph）が目標高圧値（Pta）よりも低い場合、高圧圧力（Ph）を上げるためにファンステップ（Sn）を下げて回転数を減らす。この場合は、逆に、容量の大きいものほど優先度を高くする。具体的には、第３室外ファン（16c）、第２室外ファン（16b）、第１室外ファン（16a）の順に優先度を高く設定する。
【００９８】
容量の比較的小さい第１室外ファン（16a）のファンステップ（S1）を下げると、過冷却度がつかなくなる場合も考えられるため、より安全側の容量の大きな第３室外ファン（16c）から下げるように設定する。
【００９９】
なお、過冷却度のつきやすさは、室外ファン（16a,16b,16c）の容量だけでなく、上記室外熱交換器（13a,13b,13c）の熱交換能力や他の要因も関係するため、それらを総合的に考慮して設定する。
【０１００】
そして、上記優先度制御手段（35）において、各室外ファン（16a,16b,16c）のファンステップ（S1,S2,S3）を制御する際には、各ファンステップ（S1,S2,S3）に２以上の差があかないように制御する。これは、各室外ファン（16a,16b,16c）相互の回転数に大きな差ができると室外ユニット（3a,3b,3c）の運転にばらつきがでてしまうためである。このため、優先度制御手段（35）では、優先度に基づいて各室外ファン（16a,16b,16c）を個別に制御するのであるが、各ファンステップ（S1,S2,S3）相互の関係を考慮して行う。なお、このファンステップ（S1,S2,S3）の差の制限は、設定する回転数によって３以上の差があかないようにするなど、任意に設定すればよい。
【０１０１】
以下、上記優先度制御手段（35）による制御を図８に基づいて説明する。
【０１０２】
まず、第１室外ユニット（3a）における第１高圧側圧力センサ（21a）で検出した高圧圧力（Ph）及び予め定められた目標高圧値（Pta）の差の絶対値と、予め定められた閾値（Pth）とを比較する（ステップS11）。高圧圧力（Ph）及び目標高圧値（Pta）の差の絶対値が閾値（Pth）よりも小さい場合は制御を終了する。
【０１０３】
一方、高圧圧力（Ph）及び目標高圧値（Pta）の差の絶対値が閾値（Pth）以上である場合は、高圧圧力（Ph）と目標高圧値（Pta）との差が０よりも大きいか小さいかを判断する（ステップS12）。
【０１０４】
高圧圧力（Ph）と目標高圧値（Pta）との差が０よりも大きい場合、すなわち、高圧圧力（Ph）が目標高圧値（Pta）よりも大きい場合、ファンステップ（Sn）を上げる指示が出される（ステップS13）。
【０１０５】
次に、優先度に基づいて、ファンステップ（Sn）を上げる室外ファン（16n）を選定する。具体的には、まず、各ファンステップ（S1,S2,S3）が全て同じであるか否かを判断する（ステップS14）。各ファンステップ（S1,S2,S3）が全て同じである場合、優先度の一番高い第１室外ファン（16a）の第１ファンステップ（S1）を１つ上げる（S1=S1+1）（ステップS15）。
【０１０６】
各ファンステップ（S1,S2,S3）が全て同じではない場合、第１室外ファン（16a）の第１ファンステップ（S1）が第２室外ファン（16b）の第２ファンステップ（S2）よりも１つ大きいか否かを判断する（ステップS16）。第１ファンステップ（S1）が第２ファンステップ（S2）よりも１つ大きい場合、第１ファンステップ（S1）を１つ上げると、第２ファンステップ（S2）との差が２つあいてしまうため、２番目に優先度の高い第２室外ファン（16b）の第２ファンステップ（S2）を１つ上げる（S2=S2+1）（ステップS17）。
【０１０７】
第１ファンステップ（S1）が第２ファンステップ（S2）よりも１つ大きくない場合、第１ファンステップ（S1）と第２ファンステップ（S2）とが同じで、第３室外ファン（16c）の第３ファンステップ（S3）が第１及び第２ファンステップ（S1,S2）よりも１つ小さいと考えられるため、第３ファンステップ（S3）を１つ上げる（S3＝S3+1）（ステップS18）。
【０１０８】
ステップS12において、高圧圧力（Ph）と目標高圧値（Pta）との差が０よりも小さい場合、すなわち、高圧圧力（Ph）が目標高圧値（Pta）よりも小さい場合、ファンステップ（Sn）を下げる指示が出される（ステップS19）。
【０１０９】
そして、優先度に基づいて、ファンステップ（Sn）を下げる室外ファン（16ｎ）を選定する。具体的には、まず、各ファンステップ（S1,S2,S3）が全て同じであるか否かを判断する（ステップS20）。各ファンステップ（S1,S2,S3）が全て同じである場合、優先度の一番高い第３室外ファン（16c）の第３ファンステップ（S3）を１つ下げる（S3=S3-1）（ステップS21）。
【０１１０】
各ファンステップ（S1,S2,S3）が全て同じではない場合、第１ファンステップ（S1）が第２ファンステップ（S2）よりも１つ大きいか否かを判断する（ステップS22）。第１ファンステップ（S1）が第２ファンステップ（S2）よりも１つ大きい場合、第２ファンステップ（S2）と第３ファンステップ（S3）とが同じで、第１ファンステップ（S1）が第２及び第３ファンステップ（S2,S3）よりも１つ大きいと考えられる。このため、優先度の高い第２及び第３ファンステップ（S2,S3）を１つ下げると、第１ファンステップ（S1）との間に差が２つあいてしまうので、第１ファンステップ（S1）を１つ下げる（S1=S1-1）（ステップS23）。
【０１１１】
第１ファンステップ（S1）が第２ファンステップ（S2）よりも１つ大きくない場合、第１及び第２ファンステップ（S1,S2）が同じで、第３ファンステップ（S3）が第１及び第２ファンステップ（S1,S2）よりも１つ小さいと考えられるため、２番目に優先度の高い第２ファンステップ（S2）を１つ下げる（S2=S2-1）（ステップS24）。
【０１１２】
このように、いずれかの室外ファン（16n）のファンステップ（Sn）を増減して制御を終了する。上記ステップS11からステップS24までの制御を冷房運転時に任意の間隔を空けて繰り返し行う。
【０１１３】
（実施形態３の効果）
本実施形態３の空気調和装置（1）によれば、高圧圧力（Ph）が目標高圧値（Pta）になるように室外ファン（16a,16b,16c）のファンステップ（S1,S2,S3）の増減を決定し、優先度制御手段（35）によって、各室外ファン（16a,16b,16c）の容量に基づいて予め設定した優先度でもって室外ファン（16a,16b,16c）のファンステップ（S1,S2,S3）を順に増減させる。このため、各室外ファン（16a,16b,16c）の回転数に大きな差が生じないので、各室外ユニット（3a,3b,3c）の運転のばらつきを抑制することができる。
【０１１４】
また、高圧圧力（Ph）が目標高圧値（Pta）よりも大きい場合に室外ファン（16a,16b,16c）の回転数を増やして高圧圧力（Ph）を下げる制御をする際に、過冷却度がつきにくいと考えられる、室外ファン（16a）の容量の小さいものから優先度を高く設定する。容易に過冷却度がついてしまうものから室外ファン（16a,16b,16c）の回転数を増やすと、他の過冷却度との間に差が大きくあいてしまうため、このように過冷却度のつきにくいものから優先度を高く設定することで、各室外ユニット（3a,3b,3c）における過冷却度のばらつきを抑制することができる。
【０１１５】
一方、高圧圧力（Ph）が目標高圧値（Pta）よりも小さい場合に室外ファン（16a,16b,16c）の回転数を減らして高圧圧力（Ph）を上げる制御をする際には、回転数を減らしても、過冷却度がつかなくなる等の影響が小さいと考えられる容量の大きい第３室外ファン（16c）、第２室外ファン（16b）、第１室外ファン（16a）の順に優先度を高く設定している。このため、容量の小さい第１室外ファン（16a）から回転数を減らす場合に比べて、安全側の制御を行うことができる。
【０１１６】
このように、過冷却度を検出せずに高圧圧力（Ph）のみに基づいて室外ファン（16a,16b,16c）の回転数制御を行う場合においても、各室外ファン（16a,16b,16c）の容量に基づいた優先度でもって制御することにより、容量の互いに異なる室外ファン（16a,16b,16c）において過冷却度のばらつきを抑制することができるので、各室外ユニット（3a,3b,3c）における冷媒の循環量の差をより一層小さくすることができる。
【０１１７】
また、優先度制御手段（35）で制御する際に、各ファンステップ（S1,S2,S3）の間に２以上の差が空かないように制御しているため、高圧圧力（Ph）に基づいて各室外ファン（16a,16b,16c）を個別に制御しても、各室外ファン（16a,16b,16c）の回転数に大きな差が生じないので、各室外ユニット（3a,3b,3c）の運転のばらつきをより一層抑制することができる。
【０１１８】
《発明の実施形態４》
次に、本発明の実施形態４に係る空気調和装置（1）について説明する。
【０１１９】
本実施形態４の空気調和装置（1）は、室内ユニット（2a,2b,2c）及び室外ユニット（3a,3b,3c）の構成は上記実施形態１と同じであり、コントローラ（4）の構成及び制御方法が実施形態１と異なる。なお、実施形態１と同じ構成要素については同じ符号を付し、同じ部分については、その詳細な説明は省略する。
【０１２０】
コントローラ（4）は、図９に示すように、記憶手段（30）、切換手段（31）、過冷却度検出手段（33）、個別制御手段（34）及び優先度制御手段（35）を備えている。記憶手段（30）、切換手段（31）及び過冷却度検出手段（33）は、上記実施形態２と同じ構成となっている。
【０１２１】
本実施形態４においては、個別制御手段（34）で各室外ユニット（3a,3b,3c）の過冷却度に基づいてファンステップ（S1,S2,S3）を制御するとともに、優先度制御手段（35）で高圧圧力（Ph）に基づいてファンステップ（S1,S2,S3）を制御する。個別制御手段（34）では、他の室外ファン（16n）のファンステップ（Sn）に拘わらず最小過冷却度が検出された室外ユニット（3n）における室外ファン（16n）のファンステップ（Sn）を上げる制御を行う。一方、優先度制御手段（35）では、各室外ファン（16a,16b,16c）のファンステップ（S1,S2,S3）同士が２つ以上差があかないように制御する。したがって、この制御においては、実際のファンステップ（Sn）と、優先度制御手段（35）で優先度を決める際に用いる優先度ファンステップ（Spn）とを用いる。
【０１２２】
以下、個別制御手段（34）及び優先度制御手段（35）による制御を図１０に基づいて説明する。
【０１２３】
まず、過冷却度検出手段（33）によって、各室外ユニット（3a,3b,3c）の過冷却度を検出する（ステップS25）。検出した過冷却度のうち、最大過冷却度（SCmax）及び最小過冷却度（SCmin）の差と予め設定した閾値（SCth）とを比較する（ステップS26）。
【０１２４】
最大過冷却度（SCmax）及び最小過冷却度（SCmin）の差が閾値（SCth）よりも大きい場合は、最小過冷却度（SCmin）が検出された室外ユニット（Sn）における室外ファン（16n）のファンステップ（Sn）を１つ上げて、切換手段（31）にファンステップ（Sn）を切り替えさせる（Sn=Sn+1）（ステップS27）。ここでは、上記優先度ファンステップ（Spn）は変更せずにそのままとする（Spn=Spn）。
【０１２５】
そして、ステップS26に戻り、最大過冷却度（SCmax）及び最小過冷却度（SCmin）の差と閾値（SCth）とを再び比較する。最大過冷却度（SCmax）及び最小過冷却度（SCmin）の差が閾値（SCth）よりも大きい場合、ステップS27に戻り、最大過冷却度（SCmax）と最小過冷却度（SCmin）との差が閾値（SCth）よりも小さくなるまで、最小過冷却度（SCmin）が検出された室外ファン（16n）のファンステップ（Sn）を１つ上げる制御を繰り返す。
【０１２６】
ステップS26において、最大過冷却度（SCmax）と最小過冷却度（SCmin）との差が閾値（SCth）以下である場合、優先度制御手段（35）による制御を開始する。
【０１２７】
なお、本実施形態４における各室外ファン（16a,16b,16c）の容量は上記実施形態３と同じであり、ファンステップ（Sn）を上げる場合は、容量の小さいものほど優先度が高く、第１室外ファン（16a）、第２室外ファン（16b）、第３室外ファン（16c）の順になっている。一方、ファンステップ（Sn）を下げる場合は、容量の大きいものほど優先度が高く、第３室外ファン（16c）、第２室外ファン（16b）、第１室外ファン（16a）の順になっている。
【０１２８】
まず、第１室外ユニット（3a）で検出した高圧圧力（Ph）及び予め設定された目標高圧値（Pta）の差の絶対値と予め設定された閾値（Pth）とを比較する（ステップS28）。
【０１２９】
高圧圧力（Ph）及び目標高圧値（Pta）の差の絶対値が閾値（Pth）よりも小さい場合、制御を終了する。高圧圧力（Ph）及び目標高圧値（Pta）の差の絶対値が閾値（Pth）以上である場合、高圧圧力（Ph）と目標高圧値（Pta）との差が０よりも大きいか小さいかを判断する（ステップS29）。
【０１３０】
高圧圧力（Ph）と目標高圧値（Pta）との差が０よりも大きい場合、すなわち、高圧圧力（Ph）が目標高圧値（Pta）よりも大きい場合、ファンステップ（Sn）を上げる指示が出される（ステップS30）。
【０１３１】
次に、優先度に基づいて、ファンステップ（Sn）を上げる室外ファン（16ｎ）を選定する。具体的には、まず、優先度ファンステップ（Sp1,Sp2,Sp3）が全て同じであるか否かを判断する（ステップS31）。
【０１３２】
優先度ファンステップ（Sp1,Sp2,Sp3）が全て互いに同じである場合、優先度の一番高い第１室外ファン（16a）の第１優先度ファンステップ（Sp1）を１つ上げる（Sp1=Sp1+1）（ステップS32）。これとともに、実際の第１ファンステップ（S1）も１つ上げて切換手段（31）に切り替えさせる（S1=S1+1）。
【０１３３】
優先度ファンステップ（Sp1,Sp2,Sp3）が全て互いに同じではない場合、第１室外ファン（16a）の第１優先度ファンステップ（Sp1）が第２室外ファン（16b）の第２優先度ファンステップ（Sp2）よりも１つ大きいか否かを判断する（ステップS33）。
【０１３４】
第１優先度ファンステップ（Sp1）が第２優先度ファンステップ（Sp2）よりも１つ大きい場合、第１優先度ファンステップ（Sp1）を１つ上げると、第２優先度ファンステップ（Sp2）との差が２つあいてしまうため、２番目に優先度の高い第２優先度ファンステップ（Sp2）を１つ上げる（Sp2=Sp2+1）（ステップS34）。これとともに、実際の第２ファンステップ（S2）も１つ上げて、切換手段（31）に切り替えさせる（S2=S2+1）。
【０１３５】
ステップS31において、第１優先度ファンステップ（Sp1）が第２優先度ファンステップ（Sp2）よりも１つ大きくない場合、第１優先度ファンステップ（Sp1）と第２優先度ファンステップ（Sp2）とが同じで、第３優先度ファンステップ（Sp3）が第１及び第２優先度ファンステップ（Sp1,Sp2）よりも１つ小さいと考えられるため、第３優先度ファンステップ（Sp3）を１つ上げる（Sp3=Sp3+1）（ステップS35）。これとともに、実際の第３優先度ファンステップ（Sp3）も１つ上げて、切換手段（31）に切り替えさせる（S3=S3+1）。
【０１３６】
一方、ステップS29において、高圧圧力（Ph）と目標高圧値（Pta）との差が０よりも小さい場合、すなわち、高圧圧力（Ph）が目標高圧値（Pta）よりも小さい場合、ファンステップ（Sn）を下げる指示が出される（ステップS36）。
【０１３７】
そして、優先度に基づいて、ファンステップを下げる室外ファン（16n）を選定する。具体的には、まず、優先度ファンステップ（Sp1,Sp2,Sp3）が互いに全て同じであるか否かを判断する（ステップS37）。
【０１３８】
優先度ファンステップ（Sp1,Sp2,Sp3）が全て同じである場合、優先度の一番高い第３室外ファン（16c）の第３優先度ファンステップ（Sp3）を１つ下げる（Sp3=Sp3-1）（ステップS38）。これとともに、実際の第３ファンステップ（S3）も１つ下げて、切換手段（31）に切り替えさせる（S3=S3-1）。
【０１３９】
優先度ファンステップ（Sp1,Sp2,Sp3）が互いに全て同じではない場合、第１優先度ファンステップ（Sp1）が第２優先度ファンステップ（Sp2）よりも１つ大きいか否かを判断する（ステップS39）。
【０１４０】
第１優先度ファンステップ（Sp1）が第２優先度ファンステップ（Sp2）よりも１つ大きい場合、第２優先度ファンステップ（Sp2）と第３優先度ファンステップ（Sp3）とが同じで、第１優先度ファンステップ（Sp1）が第２及び第３優先度ファンステップ（Sp2,Sp3）よりも１つ大きいと考えられる。このため、優先度の高い第２及び第３優先度ファンステップ（Sp3）を１つ下げると、第１優先度ファンステップ（Sp1）との間に差が２つあいてしまうので、第１優先度ファンステップ（Sp1）を１つ下げる（Sp1=Sp1-1）（ステップS40）。これとともに、実際の第１ファンステップ（S1）も１つ下げて、切換手段（31）に切り替えさせる（S1=S1-1）。
【０１４１】
第１優先度ファンステップ（Sp1）が第２優先度ファンステップ（Sp2）よりも１つ大きくない場合、第１及び第２優先度ファンステップ（Sp1,Sp2）が同じで、第３優先度ファンステップ（Sp3）が第１及び第２優先度ファンステップ（Sp1,Sp2）よりも１つ小さいと考えられるため、２番目に優先度の高い第２優先度ファンステップ（Sp2）を１つ下げる（Sp2=Sp2-1）（ステップS41）。これとともに、実際の第２ファンステップ（S2）も１つ下げて、切換手段（31）に切り替えさせる（S2=S2-1）。
【０１４２】
このように、いずれかの室外ファン（16n）のファンステップ（Sn）を増減して制御を終了する。上記ステップS25からステップS41までの制御を冷房運転時に任意の間隔を空けて繰り返し行う。
【０１４３】
（実施形態４の効果）
本実施形態４の空気調和装置（1）によれば、個別制御手段（34）によって、実際の各室外熱交換器（13a,13b,13c）の過冷却度を検出し、この過冷却度に基づいて各過冷却度が同じになるように室外ファン（16a,16b,16c）を個別に制御する。その後、さらに優先度制御手段（35）によって室外ファン（16a,16b,16c）の容量に基づいた優先度で冷媒の高圧圧力（Ph）が目標高圧値（Pta）となるように室外ファン（16a,16b,16c）の制御を行う。このため、個別制御手段（34）によって各過冷却度が同じになるように制御するので、各室外ユニット（3a,3b,3c）の過冷却度のばらつきを抑制することができ、各室外ユニット（3a,3b,3c）における冷媒の循環量の差をより一層小さくすることができる。これとともに、高圧圧力（Ph）を基に優先度の順に室外ファン（16a,16b,16c）の回転数を増減することで各室外ユニット（3a,3b,3c）の運転のばらつきを抑制することができる。
【０１４４】
なお、上述の実施形態は、本発明の例示であって、本発明はこの例に限定されるものではない。
【産業上の利用可能性】
【０１４５】
以上説明したように、本発明は、室内ユニットに対して互いに並列な複数の室外ユニットが接続された空気調和装置について有用である。
【符号の説明】
【０１４６】
1     空気調和装置
2a    第１室内ユニット（室内ユニット）
2b    第２室内ユニット（室内ユニット）
2c    第３室内ユニット（室内ユニット）
3a    第１室外ユニット（室外ユニット）
3b    第２室外ユニット（室外ユニット）
3c    第３室外ユニット（室外ユニット）
12a   第１圧縮機（圧縮機）
12b   第２圧縮機（圧縮機）
12c   第３圧縮機（圧縮機）
13a   第１室外熱交換器（室外熱交換器）
13b   第２室外熱交換器（室外熱交換器）
13c   第３室外熱交換器（室外熱交換器）
16a   第１室外ファン（室外ファン）
16b   第２室外ファン（室外ファン）
16c   第３室外ファン（室外ファン）
21a   第１高圧側圧力センサ（高圧側圧力センサ）
32    高圧制御手段
33    過冷却度制御手段
34    個別制御手段
35    優先度制御手段
Ph    高圧圧力
Pta   目標高圧値    
【図１】
2012122724.tif 000003
【図２】
2012122724.tif 000004
【図３】
2012122724.tif 000005
【図４】
2012122724.tif 000006
【図５】
2012122724.tif 000007
【図６】
2012122724.tif 000008
【図７】
2012122724.tif 000009
【図８】
2012122724.tif 000010
【図９】
2012122724.tif 000011
【図１０】
2012122724.tif 000012
【手続補正書】
【提出日】平成24年4月11日(2012.4.11)
【手続補正１】
【補正対象書類名】明細書
【補正対象項目名】全文
【補正方法】変更
【補正の内容】
【発明の詳細な説明】
【技術分野】
【０００１】
本発明は、室内ユニットに対して互いに並列な複数の室外ユニットが接続された空気調和装置に関するものである。
【背景技術】
【０００２】
近年、空気調和装置には高い空調性能が要求されており、室内ユニットの空調負荷の増大に伴って、複数の室外ユニットを並列につないで空気調和装置の容量のシステムアップを図るものが知られている（例えば、特許文献１参照）。
【０００３】
そして、上記のような空気調和装置では、各室外ユニットの室外熱交換器における冷媒の凝縮量を適切なものにするために、室外ファンの回転数を増減させて室外熱交換器の熱交換能力を制御している。
【先行技術文献】
【特許文献】
【０００４】
【特許文献１】特開平９−１１９７３６号公報
【発明の概要】
【発明が解決しようとする課題】
【０００５】
上記のような複数の室外ユニットを有する空気調和装置では、各室外ユニットの圧縮機の吐出圧（高圧圧力）を高圧センサーによりそれぞれ検出し、各高圧圧力の増減に伴って各室外ファンの回転数を制御している。
【０００６】
しかし、各室外ユニット毎に高圧圧力を検出して制御を行うと、各室外ファンの容量が互いに異なる場合は特に、各室外ファンの回転数に偏りが生じてしまう等、各室外ユニットの運転バランスが悪くなるという問題が生じる。
【０００７】
本発明は、かかる点に鑑みてなされたものであり、その目的とするところは、室外ファンの回転数の制御による各室外ユニット相互の運転のばらつきを抑制することにある。
【課題を解決するための手段】
【０００８】
上記目的を達成するために、第１の発明に係る空気調和装置は、圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えた空気調和装置であって、上記室外ユニット（3a,3b,3c）の高圧圧力（Ph）を検出する高圧側圧力センサ（21a）と、上記高圧側圧力センサ（21a）で検出した高圧圧力（Ph）が目標高圧値（Pta）になるように、上記各室外ファン（16a,16b,16c）の容量に基づいて設定した優先度で室外ファン（16a,16b,16c）の回転数を増減させる優先度制御手段（35）とをさらに備える構成とした。
【０００９】
上記の構成によると、高圧側圧力センサ（21a）で複数の室外ユニット（3a,3b,3c）のうちのいずれかの室外ユニット（3a）の高圧圧力（Ph）を検出し、この高圧圧力（Ph）が目標高圧値（Pta）になるように室外ファン（16a,16b,16c）の回転数の増減を決定する。このとき、全ての室外ファン（16a,16b,16c）の回転数を同時に増減させるのではなく、優先度制御手段によって、各室外ファン（16a,16b,16c）の容量に基づいて予め設定した優先度でもって室外ファン（16a,16b,16c）の回転数を順に増減させる。
【００１０】
具体的には、高圧圧力（Ph）が目標高圧値（Pta）よりも大きい場合、室外ファン（16a,16b,16c）の回転数を増やして高圧圧力（Ph）を下げる制御をする。この際には、例えば、過冷却度がつきにくいと考えられる、室外ファン（16a）の容量の小さいものから優先度を高く設定し、この優先度の高いものから室外ファン（16a,16b,16c）の回転数を増やす。容易に過冷却度がついてしまう室外ファン（16c）から回転数を増やすと、他の過冷却度との間に差が大きくあいてしまうため、このように過冷却度のつきにくい室外ファン（16a）から優先度を高く設定することで、各室外ユニット（3a,3b,3c）における過冷却度のばらつきが抑制される。
【００１１】
一方、高圧圧力（Ph）が目標高圧値（Pta）よりも小さい場合、室外ファン（16a,16b,16c）の回転数を減らして高圧圧力（Ph）を上げる制御をする。この際、容量の小さい室外ファン（16a）から回転数を減らすと、過冷却度がつかなくなる場合が考えられるため、例えば、回転数を減らしても影響が小さいと考えられる容量の大きい室外ファン（16c）から優先度を高く設定する。
【００１２】
このように、過冷却度を検出せずに高圧圧力（Ph）のみに基づいて室外ファン（16a,16b,16c）の回転数制御を行う場合においても、各室外ファン（16a,16b,16c）の容量に基づいた優先度でもって制御することにより、容量の互いに異なる室外ファン（16a,16b,16c）であっても過冷却度のばらつきが抑制される。
【００１３】
第２の発明に係る空気調和装置は、上記第１の発明に係る空気調和装置において、上記各室外熱交換器（13a,13b,13c）の出口側での冷媒の過冷却度を検出する過冷却度検出手段（33）と、上記過冷却度検出手段（33）で検出された過冷却度に基づいて室外ファン（16a,16b,16c）の回転数を個別に制御する個別制御手段（34）とをさらに備えている。
【００１４】
上記の構成によると、優先度制御手段（35）によって優先度で冷媒の高圧圧力（Ph）を基準とした室外ファン（16a,16b,16c）の回転数の制御を行うとともに、実際の各室外熱交換器（13a,13b,13c）の過冷却度を検出し、この過冷却度に基づいて室外ファン（16a,16b,16c）の回転数を個別に制御する。
【００１５】
すなわち、高圧圧力（Ph）を基に優先度の順に室外ファン（16a,16b,16c）の回転数を増減することで各室外ユニット（3a,3b,3c）の運転のばらつきが抑制されるとともに、検出した過冷却度に基づいて個別に室外ファン（16a,16b,16c）を制御することで各室外ユニット（3a,3b,3c）の過冷却度のばらつきも抑制される。
【発明の効果】
【００１６】
上記第１の発明によれば、冷媒の高圧圧力（Ph）に基づいて室外ファン（16a,16b,16c）の回転数を制御する際に、室外ファン（16a,16b,16c）の容量に基づいて設定した優先度でもって室外ファン（16a,16b,16c）の回転数を順に増減させるので、室外ファン（16a,16b,16c）の運転のばらつきを抑制することができる。
【００１７】
上記第２の発明によれば、高圧圧力（PH）に基づいて優先度順に室外ファン（16a,16b,16c）の回転数を増減させるので、各室外ユニット（3a,3b,3c）の運転のばらつきを抑制することができるとともに、個別制御手段（34）によって、検出した過冷却度に基づいて各室外ファン（16a,16b,16c）の回転数を個別に制御するので、各室外ユニット（3a,3b,3c）の過冷却度のばらつきも抑制することができ、各室外ユニット（3a,3b,3c）の運転のばらつきをさらに抑制することができる。
【図面の簡単な説明】
【００１８】
【図１】本発明の実施形態に係る空気調和装置の全体構成を示す冷媒回路図である。
【図２】前提技術１のコントローラの構成を示すブロック図である。
【図３】記憶装置に記憶された室外ファンの容量毎の回転数のファンステップを示す表である。
【図４】前提技術１の空気調和装置における制御のフローチャートである。
【図５】前提技術２のコントローラの構成を示すブロック図である。
【図６】前提技術２の空気調和装置における制御のフローチャートである。
【図７】実施形態１のコントローラの構成を示すブロック図である。
【図８】実施形態１３の空気調和装置における制御のフローチャートである。
【図９】実施形態２のコントローラの構成を示すブロック図である。
【図１０】実施形態２の空気調和装置における制御のフローチャートである。
【発明を実施するための形態】
【００１９】
以下、本発明の実施形態を図面に基づいて詳細に説明する。
【００２０】
《発明の前提技術１》
図１は、本発明の前提技術１に係る空気調和装置（1）の全体構成を示す冷媒回路図である。この空気調和装置（1）は、３台の第１〜第３室内ユニット（2a,2b,2c）と、３台の第１〜第３室外ユニット（3a,3b,3c）と、コントローラ（4）とを備えている。この空気調和装置（1）では、互いに並列に接続された各室内ユニット（2a,2b,2c）と、互いに並列に接続された各室外ユニット（3a,3b,3c）とがガス配管（5）及び液配管（6）によって接続されることで、冷媒回路（7）が構成されている。この冷媒回路（7）では、冷媒が循環することで蒸気圧縮式の冷凍サイクルが行われ、冷房運転又は暖房運転が実行可能となっている。
【００２１】
（室内ユニット）
各室内ユニット（2a,2b,2c）は、第１〜第３室内熱交換器（8a,8b,8c）、第１〜第３室内膨張弁（9a,9b,9c）及び第１〜第３室内ファン（10a,10b,10c）を備えていて、各室内熱交換器（8a,8b,8c）と各室内膨張弁（9a,9b,9c）とが冷媒配管によって接続されることで、冷媒回路（7）の一部である第１〜第３室内側冷媒回路（11a,11b,11c）が構成されている。第１〜第３室内側冷媒回路（11a,11b,11c）の構成は互いに同じである。
【００２２】
上記第１〜第３室内熱交換器（8a,8b,8c）は、伝熱管と多数のフィンとにより構成されたクロスフィン式のフィン・アンド・チューブ型熱交換器である。この第１〜第３室内熱交換器（8a,8b,8c）は、冷房運転時には冷媒の蒸発器として機能して室内の空気を冷却する一方、暖房運転時には冷媒の凝縮器として機能して室内の空気を加熱する。
【００２３】
上記第１〜第３室内膨張弁（9a,9b,9c）は、室内側冷媒回路（11a,11b,11c）内を流れる冷媒の流量の調節等を行うために、第１〜第３室内熱交換器（8a,8b,8c）の液側に接続された電子膨張弁である。各室内ユニット（2a,2b,2c）のガス側端から順に室内熱交換器（8a,8b,8c）と室内膨張弁（9a,9b,9c）とが設けられている。
【００２４】
上記第１〜第３室内熱交換器（8a,8b,8c）の近傍には第１〜第３室内ファン（10a,10b,10c）がそれぞれ設けられていて、各室内熱交換器（8a,8b,8c）は、冷媒が各室内ファン（10a,10b,10c）によって取り込まれた空気と熱交換するように構成されている。
【００２５】
（室外ユニット）
上記第１〜第３室外ユニット（3a,3b,3c）は互いに並列接続され、ガス配管（5）及び液配管（6）を介して第１〜第３室内ユニット（2a,2b,2c）に接続されている。各室外ユニット（3a,3b,3c）は、第１〜第３圧縮機（12a,12b,12c）、第１〜第３室外熱交換器（13a,13b,13c）、第１〜第３室外膨張弁（14a,14b,14c）、第１〜第３四路切換弁（15a,15b,15c）及び第１〜第３室外ファン（16a,16b,16c）を備えている。これらの室外ユニット（3a,3b,3c）では、圧縮機（12a,12b,12c）、四路切換弁（15a,15b,15c）、室外熱交換器（13a,13b,13c）及び室外膨張弁（14a,14b,14c）が接続されることによって、冷媒回路の一部である第１〜第３室外側冷媒回路（17a,17b,17c）が構成されている。
【００２６】
第１〜第３室外側冷媒回路（17a,17b,17c）の構成は互いに同じであるが、第１室外ユニット（3a）は親室外ユニットとして、また第２及び第３室外ユニット（3b,3c）は子室外ユニットとして構成されていて、各室外ファン（16a,16b,16c）の容量が互いに異なっている。
【００２７】
上記第１〜第３圧縮機（12a,12b,12c）は運転容量が可変なインバータ式であり、第１〜第３室外熱交換器（13a,13b,13c）は、クロスフィン式のフィン・アンド・チューブ型熱交換器である。これらの室外熱交換器（13a,13b,13c）は、冷房運転時には冷媒の凝縮器として機能する一方、暖房運転時には冷媒の蒸発器として機能する。
【００２８】
上記第１〜第３室外膨張弁（14a,14b,14c）は、室外側冷媒回路（17a,17b,17c）内を流れる冷媒の流量の調節等を行うために、第１〜第３室外熱交換器（13a,13b,13c）の液側に接続された電子膨張弁である。
【００２９】
上記第１〜第３四路切換弁（15a,15b,15c）は、冷媒の流れの方向を切り換えるための弁であって４つのポートを有し、第１ポートが各圧縮機（12a,12b,12c）の吐出側と繋がり、第２ポートが各室外熱交換器（13a,13b,13c）のガス側と繋がっている。また、四路切換弁は、第３ポートが各圧縮機（12a,12b,12c）の吸入側と繋がり、第４ポートがガス配管（5）と繋がっている。これらの第１〜第３四路切換弁（15a,15b,15c）は、第１ポートと第２ポートとが連通するとともに、第３ポートと第４ポートとが連通する冷媒運転時の状態（図１の実線で示す状態）と、第１ポートと第４ポートとが連通するとともに、第２ポートと第３ポートとが連通する暖房運転時の状態（図１の破線で示す状態）とに設定が切換可能に構成されている。
【００３０】
上記第１〜第３室外熱交換器（13a,13b,13c）の近傍には第１〜第３室外ファン（16a,16b,16c）がそれぞれ設けられていて、各室外熱交換器（13a,13b,13c）は、各室外ファン（16a,16b,16c）により供給された室外空気を冷媒と熱交換させるように構成されている。
【００３１】
本発明の第１〜第３室外ファン（16a,16b,16c）は互いに容量が異り、例えば、8HP，10HP，12HP（1），12HP（2），14HP，16HP，18HP等から任意に設定される。ここで、12HP（2），14HP，16HP及び18HPはそれぞれファンを２つ有している。
【００３２】
なお、本前提技術１における室外ファン（16a,16b,16c）は、第１室外ファン（16a）が8HPで、第２室外ファン（16b）が10HPで、また第３室外ファン（16c）が16HPの容量にそれぞれ設定されている。
【００３３】
上記液配管（6）と各室外ユニット（3a,3b,3c）との接続口には、液側閉鎖弁（18a,18b,18c）がそれぞれ設けられている。また、ガス配管（5）と各室外ユニット（3a,3b,3c）との接続口には、ガス側閉鎖弁（19a,19b,19c）がそれぞれ設けられている。液側閉鎖弁（18a,18b,18c）は室外膨張弁（14a,14b,14c）に接続され、ガス側閉鎖弁（19a,19b,19c）は四路切換弁（15a,15b,15c）に接続されている。
【００３４】
各室外ユニット（3a,3b,3c）の室外熱交換器（13a,13b,13c）の液側と室外膨張弁（14a,14b,14c）との間には、冷媒の温度を検出する第１〜第３液側温度センサ（20a,20b,20c）がそれぞれ設けられている。これらの液側温度センサ（20a,20b,20c）は、冷媒配管に取り付けられたサーミスタである。
【００３５】
また、各室外ユニット（3a,3b,3c）の圧縮機（12a,12b,12c）の吐出側に、圧縮機（12a,12b,12c）から吐出された高圧冷媒の高圧圧力（Ph）を検出する第１〜第３高圧側圧力センサ（21a,21b,21c）がそれぞれ設けられている。この高圧側圧力センサ（21a,21b,21c）が検出する圧縮機（12a,12b,12c）の吐出圧力は、冷凍サイクルの高圧を示す指標となる物理量である。
【００３６】
（コントローラ）
上記コントローラ（4）は、図２に示すように、記憶手段（30）、切換手段（31）及び高圧制御手段（32）を備えていて、上記第１高圧側圧力センサ（21a）の検出信号が入力されるようになっている。
【００３７】
上記記憶手段（30）は、図３に示すように、各室外ファン（16a,16b,16c）の容量（馬力）ごとに、室外ファン（16a,16b,16c）の回転数を最大で１４段階のファンステップ（S1,S2,S3）で記憶している。各ファンステップ（S1,S2,S3）における各段階の回転数は、各室外熱交換器（13a,13b,13c）の吐出側での冷媒の過冷却度が互いに同一となるように算出された回転数で組となっている。すなわち、各室外ファン（16a,16b,16c）の回転数を互いに同じ段階のファンステップ（S1,S2,S3）の回転数にすることで（S1=S2=S3）、異なる容量の第１〜第３室外ファン（16a,16b,16c）を有する室外ユニット（3a,3b,3c）の過冷却度が揃うことが想定されている。
【００３８】
本前提技術１の第１〜第３室外ファン（16a,16b,16c）においては、例えば、各ファンステップ（S1,S2,S3）を５とした場合（S1=S2=S3=5）、容量が8HPの第１室外ファン（16a）の回転数が360RPMとなり、容量が10HPの第２室外ファン（16b）の回転数が380RPMとなり、容量が16HPの第３室外ファン（16c）の回転数が380RPMとなる。これらの回転数で各室外ファン（16a,16b,16c）を作動させることにより、各室外ユニット（3a,3b,3c）の過冷却度が揃うことが想定されている。
【００３９】
上記切換手段（31）は、各室外ファン（16a,16b,16c）のファンステップ（S1,S2,S3）を切り換えて、上記記憶手段（30）で記憶した回転数とするように構成されている。
【００４０】
上記高圧制御手段（32）は、親室外ユニットである第１室外ユニット（3a）の第１高圧側圧力センサ（21a）に接続されている。高圧制御手段（32）は、該第１高圧側圧力センサ（21a）で検出された高圧圧力（Ph）を室外側冷媒回路（17a,17b,17c）における冷媒の高圧圧力（Ph）として、該高圧圧力（Ph）と、予め設定された目標高圧値（Pta）とを比較して各室外ファン（16a,16b,16c）のファンステップ（S1,S2,S3）をいずれの組にするかを決定し、上記切換手段（31）にファンステップ（S1,S2,S3）を切り替えさせる制御を行うように構成されている。
【００４１】
（運転動作）
次に、上記空気調和装置（1）の動作について説明する、なお、本前提技術１の空気調和装置（1）のコントローラ（4）による制御は冷房運転時に機能するものであるため、冷房運転のみについて説明する。
【００４２】
冷房運転では、各室外熱交換器（13a,13b,13c）を凝縮器とし、各室内熱交換器（8a,8b,8c）を蒸発器とする冷凍サイクルが行われる。まず、各室外ユニット（3a,3b,3c）の各四路切換弁（15a,15b,15c）は、第１ポートと第２ポートとが連通するとともに、第３ポートと第４ポートとが連通する状態（図１の実線で示す状態）に切り換えられる。
【００４３】
各圧縮機（12a,12b,12c）から吐出した高圧ガス冷媒は、四路切換弁（15a,15b,15c）を通過した後、室外熱交換器（13a,13b,13c）を流れる。各室外熱交換器（13a,13b,13c）では、冷媒が室外空気へ放熱して凝縮し、液冷媒となる。各室外熱交換器（13a,13b,13c）で凝縮した冷媒は、室外膨張弁（14a,14b,14c）を通過して液管で合流し、その後各室内ユニット（2a,2b,2c）へ分流する。
【００４４】
各室内ユニット（2a,2b,2c）においては、冷媒が室内膨張弁（9a,9b,9c）を通過する際に、低圧まで減圧されて低圧ガス冷媒となり、室内熱交換器（8a,8b,8c）に流れて室内空気から吸熱して蒸発し、その結果、各室内ユニット（2a,2b,2c）に対応する室内の冷房が行われる。各室内熱交換器（8a,8b,8c）で蒸発した冷媒がガス配管（5）で合流し、その後各室外ユニット（3a,3b,3c）へ分流する。この循環動作を繰り返して冷媒運転が行われる。
【００４５】
上記冷房運転中には、図４に示すように、上記コントローラ（4）の高圧制御手段（32）によって各室外ファン（16a,16b,16c）の回転数が制御されている。
【００４６】
具体的には、まず、第１高圧側圧力センサ（21a）で検出された第１室外ファン（16a）の高圧圧力（Ph）及び目標高圧値（Pta）の差の絶対値と閾値（Pth）とを比較する（ステップS1）。高圧圧力（Ph）及び目標高圧値（Pta）の差の絶対値が、予め設定された閾値（Pth）よりも小さい場合、制御を終了する。
【００４７】
高圧圧力（Ph）及び目標高圧値（Pta）の差の絶対値が閾値（Pth）以上である場合、高圧圧力（Ph）が目標高圧値（Pta）よりも大きいか小さいかを判断する（ステップS2）。
【００４８】
高圧圧力（Ph）が目標高圧値（Pta）よりも大きい場合、全ての室外ファン（16a,16b,16c）のファンステップ（S1,S2,S3）を同じ段階だけ上げる（ステップS3）。
【００４９】
具体的には、高圧制御手段（32）が上げるファンステップ（S1,S2,S3）の組を決定し、上記切換手段（31）に、各室外ファン（16a,16b,16c）の回転数を該組に対応するファンステップ（S1,S2,S3）に切り替えさせる。この際、高圧圧力（Ph）と目標高圧値（Pta）との差の程度によって上げるファンステップ（S1,S2,S3）の組を決定する。このように、各ファンステップ（S1,S2,S3）を上げて室外ファン（16a,16b,16c）の回転数を増やすことで放熱量を多くし、高圧圧力（Ph）を下げるように制御する。
【００５０】
一方、高圧圧力（Ph）が目標高圧値（Pta）よりも小さい場合、全ての室外ファン（16a,16b,16c）のファンステップ（S1,S2,S3）を同じ段階だけ下げる（ステップS4）。この際も同様に、高圧制御手段（32）が下げるファンステップ（S1,S2,S3）の組を決定し、切換手段（31）に各室外ファン（16a,16b,16c）の回転数を該ファンステップ（S1,S2,S3）に切り替えさせる。このように、各ファンステップ（S1,S2,S3）を下げて室外ファン（16a,16b,16c）の回転数を減らすことで放熱量を少なくし、高圧圧力（Ph）を上げるように制御する。
【００５１】
上記ステップS1からステップS4までの制御を冷房運転時に任意の間隔を空けて繰り返し行う。
【００５２】
（前提技術１の効果）
本前提技術１の空気調和装置（1）によれば、高圧制御手段（32）が第１高圧側圧力センサ（21a）で検出した高圧圧力（Ph）、すなわち冷凍サイクル全体の高圧に基づいて、、この高圧圧力（Ph）が目標高圧値（Pta）になるように各室外ファン（16a,16b,16c）の回転数を増減させる。回転数の増減は、各室外ファン（16a,16b,16c）のファンステップ（S1,S2,S3）を個別に増減させずに、全ての室外ファン（16a,16b,16c）のファンステップ（S1,S2,S3）を同時に増減させるので、各室外ファン（16a,16b,16c）の容量が相互に異なっても、各室外ユニット（3a,3b,3c）の運転のばらつきを抑制することができる。
【００５３】
また、高圧制御手段（32）によって、各室外ユニット（3a,3b,3c）の過冷却度が互いに同じになるように予め設定した室外ファン（16a,16b,16c）のファンステップ（S1,S2,S3）の組で増減するので、高圧圧力（Ph）に基づいた制御によって、各室外ユニット（3a,3b,3c）の過冷却度のばらつきを抑制することができ、各室外ユニット（3a,3b,3c）における冷媒の循環量の差を小さくすることができる。
【００５４】
《発明の前提技術２》
次に、本発明の前提技術２に係る空気調和装置（1）について説明する。
【００５５】
本前提技術２の空気調和装置（1）は、室内ユニット（2a,2b,2c）及び室外ユニット（3a,3b,3c）の構成は上記前提技術１と同じであり、コントローラ（4）の構成及び制御方法が前提技術１と異なる。なお、前提技術１と同じ構成要素については同じ符号を付し、同じ部分については、その詳細な説明は省略する。
【００５６】
上記コントローラ（4）は、図５に示すように、記憶手段（30）、切換手段（31）及び高圧制御手段（32）に加えて、過冷却度検出手段（33）及び個別制御手段（34）を備えている。記憶手段（30）、切換手段（31）及び高圧制御手段（32）は上記前提技術１と同じ構成となっている。
【００５７】
上記過冷却度検出手段（33）は、上記第１〜第３液側温度センサ（20a,20b,20c）と第１〜第３高圧側圧力センサ（21a,21b,21c）とに接続されており、各液側温度センサ（20a,20b,20c）によって検出された冷媒の温度と、各高圧側圧力センサ（21a,21b,21c）によって検出された圧力とに基づいて、凝縮器として機能する各室外熱交換器（13a,13b,13c）の液側（吐出側）での冷媒の過冷却度を算出する。具体的には、高圧側圧力センサ（21a,21b,21c）の検出値における冷媒の相当飽和温度を算出し、その相当飽和温度から、各室外熱交換器（13a,13b,13c）の出口における冷媒温度である液側温度センサ（20a,20b,20c）で検出された冷媒温度の実測値を差し引いて得られる値を冷媒の過冷却度として算出する。
【００５８】
上記個別制御手段（34）は、上記過冷却度検出手段（33）で検出された各室外ユニット（3a,3b,3c）の過冷却度に基づいて、各室外ファン（16a,16b,16c）のファンステップ（S1,S2,S3）を個別に制御するように構成されている。
【００５９】
具体的には、この個別制御手段（34）は、高圧圧力（Ph）及び目標高圧値（Pta）の差の絶対値が閾値（Pth）よりも小さくなるまで上記高圧制御手段（32）においてファンステップ（S1,S2,S3）の制御を行った後、さらに各室外ファン（16a,16b,16c）について、過冷却度に基づいた個別のファンステップ（S1,S2,S3）の制御を行うものである。
【００６０】
以下、上記個別制御手段（34）による制御について、図６に基づいて説明する。
【００６１】
まず、親室外ユニットである第１室外ユニット（3a）における第１高圧側圧力センサ（21a）で検出した高圧圧力（Ph）及び予め定められた目標高圧値（Pta）の差の絶対値と、予め定められた閾値（Pth）とを比較する（ステップS5）。
【００６２】
高圧圧力（Ph）及び目標高圧値（Pta）の差の絶対値が閾値（Pth）以上である場合、上記高圧制御手段（32）による制御を行う（ステップS6）。この高圧制御手段（32）による制御（図４に示す制御）を行った後、ステップS5に戻る。
【００６３】
高圧圧力（Ph）及び目標高圧値（Pta）の差の絶対値が閾値（Pth）よりも小さい場合、過冷却度検出手段（33）において、各室外熱交換器（13a,13b,13c）の過冷却度を検出する（ステップS7）。
【００６４】
次に、上記過冷却度検出手段（33）において検出した過冷却度のうち、最大過冷却度（SCmax）及び最小過冷却度（SCmin）の差と予め設定された閾値（SCth）とを比較する（ステップS8）。最大過冷却度（SCmax）及び最小過冷却度（SCmin）の差が閾値（SCth）以下である場合、制御を終了する。
【００６５】
最大過冷却度（SCmax）及び最小過冷却度（SCmin）の差が閾値（SCth）よりも大きい場合、最小過冷却度（SCmin）が検出された室外ユニット（3n）の室外ファン（16n）のファンステップ（Sn）を１つ上げる（Sn=Sn+1）（ステップS9）。
【００６６】
次に、ステップS8に戻り、再び最大過冷却度（SCmax）及び最小過冷却度（SCmin）の差と閾値（SCth）とを比較する。最大過冷却度（SCmax）及び最小過冷却度（SCmin）の差が閾値（SCth）よりも小さい場合、制御を終了する。
【００６７】
最大過冷却度（SCmax）及び最小過冷却度（SCmin）の差が未だ閾値（SCth）以上である場合、最大過冷却度（SCmax）及び最小過冷却度（SCmin）の差が閾値（SCth）よりも小さくなるまで、ステップS9で最小過冷却度（SCmin）が検出された室外ユニット（3n）の室外ファン（16n）のファンステップ（Sn）を１つ上げる制御を繰り返す。
【００６８】
このように、上記個別制御手段（34）においては、各過冷却度の差が小さくなるように、すなわち、各冷却度が互いに同じとなるように各室外ファン（16a,16b,16c）のファンステップ（S1,S2,S3）を制御する。
【００６９】
上記ステップS5からステップS9までの制御を冷房運転時に任意の間隔を空けて繰り返し行う。
【００７０】
（前提技術２の効果）
本前提技術２の空気調和装置（1）によれば、高圧制御手段（32）によって、各室外ユニット（3a,3b,3c）の運転のばらつきを抑制しながら、高圧圧力（Ph）を目標高圧値（Pta）となるように室外ファン（16a,16b,16c）のファンステップ（S1,S2,S3）を制御している。さらに、個別制御手段（34）によって、過冷却度検出手段（33）で検出した各室外ユニット（3a,3b,3c）の過冷却度の差が小さくなるように室外ファン（16a,16b,16c）のファンステップ（S1,S2,S3）を制御している。
【００７１】
このため、各室外ユニット（3a,3b,3c）の運転のばらつきを抑制することができるとともに、検出した過冷却度に基づいて各過冷却度が同じになるように制御するので、各室外ファン（16a,16b,16c）の容量が相互に異なっても、過冷却度のばらつきをより一層抑制することができ、各室外ユニット（3a,3b,3c）における冷媒の循環量の差を小さくすることができる。
【００７２】
《発明の実施形態１》
次に、本発明の実施形態１に係る空気調和装置（1）について説明する。
【００７３】
本実施形態１の空気調和装置（1）は、室内ユニット（2a,2b,2c）及び室外ユニット（3a,3b,3c）の構成は上記前提技術１と同じであり、コントローラ（4）の構成及び制御方法が前提技術１と異なる。なお、前提技術１と同じ構成要素については同じ符号を付し、同じ部分については、その詳細な説明は省略する。
【００７４】
コントローラ（4）は、図７に示すように、記憶手段（30）、切換手段（31）及び優先度制御手段（35）を備えている。記憶手段（30）及び切換手段（31）は上記前提技術１と同じ構成となっている。
【００７５】
上記優先度制御手段（35）は、第１高圧側圧力センサ（21a）で検出した高圧圧力（Ph）が目標高圧値（Pta）になるように、第１〜第３室外ファン（16a,16b,16c）の容量に基づいて予め設定した優先度でもって第１〜第３室外ファン（16a,16b,16c）のファンステップ（S1,S2,S3）を増減するように構成されている。
【００７６】
具体的には、上記優先度は、各室外ユニット（3a,3b,3c）における、いわゆる過冷却度のつきやすさを基準に設定する。この過冷却度のつきやすさは、各室外ファン（16a,16b,16c）の容量や、その室外ファン（16a,16b,16c）に対応する室外熱交換器（13a,13b,13c）の熱交換能力の大小等に関係する。本実施形態１においては、互いに容量の異なる第１〜第３室外ファン（16a,16b,16c）において、容量の小さいものほど過冷却度がつきにくいものとして優先度を決定する。なお、本実施形態１においては、第１室外ファン（16a）の容量は8HP、第２室外ファン（16b）の容量は10HP、第３室外ファン（16c）の容量は18HPとなっている。
【００７７】
第１高圧側圧力センサ（21a）で検出した高圧圧力（Ph）が目標高圧値（Pta）よりも高い場合、高圧圧力（Ph）を下げるためにファンステップ（Sn）を上げて回転数を増やす。ファンステップ（Sn）を上げる場合は、第１室外ファン（16a）、第２室外ファン（16b）、第３室外ファン（16c）の順に優先度を高く設定する。
【００７８】
すなわち、第１〜第３室外ファン（16a,16b,16c）のうち最も容量の小さく、過冷却度がつきにくいと考えられる第１室外ファン（16a）の第１ファンステップ（S1）から上げることで、各室外ユニット（3a,3b,3c）の過冷却度のばらつきを抑制する。
【００７９】
一方、高圧圧力（Ph）が目標高圧値（Pta）よりも低い場合、高圧圧力（Ph）を上げるためにファンステップ（Sn）を下げて回転数を減らす。この場合は、逆に、容量の大きいものほど優先度を高くする。具体的には、第３室外ファン（16c）、第２室外ファン（16b）、第１室外ファン（16a）の順に優先度を高く設定する。
【００８０】
容量の比較的小さい第１室外ファン（16a）のファンステップ（S1）を下げると、過冷却度がつかなくなる場合も考えられるため、より安全側の容量の大きな第３室外ファン（16c）から下げるように設定する。
【００８１】
なお、過冷却度のつきやすさは、室外ファン（16a,16b,16c）の容量だけでなく、上記室外熱交換器（13a,13b,13c）の熱交換能力や他の要因も関係するため、それらを総合的に考慮して設定する。
【００８２】
そして、上記優先度制御手段（35）において、各室外ファン（16a,16b,16c）のファンステップ（S1,S2,S3）を制御する際には、各ファンステップ（S1,S2,S3）に２以上の差があかないように制御する。これは、各室外ファン（16a,16b,16c）相互の回転数に大きな差ができると室外ユニット（3a,3b,3c）の運転にばらつきがでてしまうためである。このため、優先度制御手段（35）では、優先度に基づいて各室外ファン（16a,16b,16c）を個別に制御するのであるが、各ファンステップ（S1,S2,S3）相互の関係を考慮して行う。なお、このファンステップ（S1,S2,S3）の差の制限は、設定する回転数によって３以上の差があかないようにするなど、任意に設定すればよい。
【００８３】
以下、上記優先度制御手段（35）による制御を図８に基づいて説明する。
【００８４】
まず、第１室外ユニット（3a）における第１高圧側圧力センサ（21a）で検出した高圧圧力（Ph）及び予め定められた目標高圧値（Pta）の差の絶対値と、予め定められた閾値（Pth）とを比較する（ステップS11）。高圧圧力（Ph）及び目標高圧値（Pta）の差の絶対値が閾値（Pth）よりも小さい場合は制御を終了する。
【００８５】
一方、高圧圧力（Ph）及び目標高圧値（Pta）の差の絶対値が閾値（Pth）以上である場合は、高圧圧力（Ph）と目標高圧値（Pta）との差が０よりも大きいか小さいかを判断する（ステップS12）。
【００８６】
高圧圧力（Ph）と目標高圧値（Pta）との差が０よりも大きい場合、すなわち、高圧圧力（Ph）が目標高圧値（Pta）よりも大きい場合、ファンステップ（Sn）を上げる指示が出される（ステップS13）。
【００８７】
次に、優先度に基づいて、ファンステップ（Sn）を上げる室外ファン（16n）を選定する。具体的には、まず、各ファンステップ（S1,S2,S3）が全て同じであるか否かを判断する（ステップS14）。各ファンステップ（S1,S2,S3）が全て同じである場合、優先度の一番高い第１室外ファン（16a）の第１ファンステップ（S1）を１つ上げる（S1=S1+1）（ステップS15）。
【００８８】
各ファンステップ（S1,S2,S3）が全て同じではない場合、第１室外ファン（16a）の第１ファンステップ（S1）が第２室外ファン（16b）の第２ファンステップ（S2）よりも１つ大きいか否かを判断する（ステップS16）。第１ファンステップ（S1）が第２ファンステップ（S2）よりも１つ大きい場合、第１ファンステップ（S1）を１つ上げると、第２ファンステップ（S2）との差が２つあいてしまうため、２番目に優先度の高い第２室外ファン（16b）の第２ファンステップ（S2）を１つ上げる（S2=S2+1）（ステップS17）。
【００８９】
第１ファンステップ（S1）が第２ファンステップ（S2）よりも１つ大きくない場合、第１ファンステップ（S1）と第２ファンステップ（S2）とが同じで、第３室外ファン（16c）の第３ファンステップ（S3）が第１及び第２ファンステップ（S1,S2）よりも１つ小さいと考えられるため、第３ファンステップ（S3）を１つ上げる（S3＝S3+1）（ステップS18）。
【００９０】
ステップS12において、高圧圧力（Ph）と目標高圧値（Pta）との差が０よりも小さい場合、すなわち、高圧圧力（Ph）が目標高圧値（Pta）よりも小さい場合、ファンステップ（Sn）を下げる指示が出される（ステップS19）。
【００９１】
そして、優先度に基づいて、ファンステップ（Sn）を下げる室外ファン（16ｎ）を選定する。具体的には、まず、各ファンステップ（S1,S2,S3）が全て同じであるか否かを判断する（ステップS20）。各ファンステップ（S1,S2,S3）が全て同じである場合、優先度の一番高い第３室外ファン（16c）の第３ファンステップ（S3）を１つ下げる（S3=S3-1）（ステップS21）。
【００９２】
各ファンステップ（S1,S2,S3）が全て同じではない場合、第１ファンステップ（S1）が第２ファンステップ（S2）よりも１つ大きいか否かを判断する（ステップS22）。第１ファンステップ（S1）が第２ファンステップ（S2）よりも１つ大きい場合、第２ファンステップ（S2）と第３ファンステップ（S3）とが同じで、第１ファンステップ（S1）が第２及び第３ファンステップ（S2,S3）よりも１つ大きいと考えられる。このため、優先度の高い第２及び第３ファンステップ（S2,S3）を１つ下げると、第１ファンステップ（S1）との間に差が２つあいてしまうので、第１ファンステップ（S1）を１つ下げる（S1=S1-1）（ステップS23）。
【００９３】
第１ファンステップ（S1）が第２ファンステップ（S2）よりも１つ大きくない場合、第１及び第２ファンステップ（S1,S2）が同じで、第３ファンステップ（S3）が第１及び第２ファンステップ（S1,S2）よりも１つ小さいと考えられるため、２番目に優先度の高い第２ファンステップ（S2）を１つ下げる（S2=S2-1）（ステップS24）。
【００９４】
このように、いずれかの室外ファン（16n）のファンステップ（Sn）を増減して制御を終了する。上記ステップS11からステップS24までの制御を冷房運転時に任意の間隔を空けて繰り返し行う。
【００９５】
（実施形態１の効果）
本実施形態１の空気調和装置（1）によれば、高圧圧力（Ph）が目標高圧値（Pta）になるように室外ファン（16a,16b,16c）のファンステップ（S1,S2,S3）の増減を決定し、優先度制御手段（35）によって、各室外ファン（16a,16b,16c）の容量に基づいて予め設定した優先度でもって室外ファン（16a,16b,16c）のファンステップ（S1,S2,S3）を順に増減させる。このため、各室外ファン（16a,16b,16c）の回転数に大きな差が生じないので、各室外ユニット（3a,3b,3c）の運転のばらつきを抑制することができる。
【００９６】
また、高圧圧力（Ph）が目標高圧値（Pta）よりも大きい場合に室外ファン（16a,16b,16c）の回転数を増やして高圧圧力（Ph）を下げる制御をする際に、過冷却度がつきにくいと考えられる、室外ファン（16a）の容量の小さいものから優先度を高く設定する。容易に過冷却度がついてしまうものから室外ファン（16a,16b,16c）の回転数を増やすと、他の過冷却度との間に差が大きくあいてしまうため、このように過冷却度のつきにくいものから優先度を高く設定することで、各室外ユニット（3a,3b,3c）における過冷却度のばらつきを抑制することができる。
【００９７】
一方、高圧圧力（Ph）が目標高圧値（Pta）よりも小さい場合に室外ファン（16a,16b,16c）の回転数を減らして高圧圧力（Ph）を上げる制御をする際には、回転数を減らしても、過冷却度がつかなくなる等の影響が小さいと考えられる容量の大きい第３室外ファン（16c）、第２室外ファン（16b）、第１室外ファン（16a）の順に優先度を高く設定している。このため、容量の小さい第１室外ファン（16a）から回転数を減らす場合に比べて、安全側の制御を行うことができる。
【００９８】
このように、過冷却度を検出せずに高圧圧力（Ph）のみに基づいて室外ファン（16a,16b,16c）の回転数制御を行う場合においても、各室外ファン（16a,16b,16c）の容量に基づいた優先度でもって制御することにより、容量の互いに異なる室外ファン（16a,16b,16c）において過冷却度のばらつきを抑制することができるので、各室外ユニット（3a,3b,3c）における冷媒の循環量の差をより一層小さくすることができる。
【００９９】
また、優先度制御手段（35）で制御する際に、各ファンステップ（S1,S2,S3）の間に２以上の差が空かないように制御しているため、高圧圧力（Ph）に基づいて各室外ファン（16a,16b,16c）を個別に制御しても、各室外ファン（16a,16b,16c）の回転数に大きな差が生じないので、各室外ユニット（3a,3b,3c）の運転のばらつきをより一層抑制することができる。
【０１００】
《発明の実施形態２》
次に、本発明の実施形態２に係る空気調和装置（1）について説明する。
【０１０１】
本実施形態２の空気調和装置（1）は、室内ユニット（2a,2b,2c）及び室外ユニット（3a,3b,3c）の構成は上記前提技術１と同じであり、コントローラ（4）の構成及び制御方法が前提技術１と異なる。なお、前提技術１と同じ構成要素については同じ符号を付し、同じ部分については、その詳細な説明は省略する。
【０１０２】
コントローラ（4）は、図９に示すように、記憶手段（30）、切換手段（31）、過冷却度検出手段（33）、個別制御手段（34）及び優先度制御手段（35）を備えている。記憶手段（30）、切換手段（31）及び過冷却度検出手段（33）は、上記前提技術２と同じ構成となっている。
【０１０３】
本実施形態２においては、個別制御手段（34）で各室外ユニット（3a,3b,3c）の過冷却度に基づいてファンステップ（S1,S2,S3）を制御するとともに、優先度制御手段（35）で高圧圧力（Ph）に基づいてファンステップ（S1,S2,S3）を制御する。個別制御手段（34）では、他の室外ファン（16n）のファンステップ（Sn）に拘わらず最小過冷却度が検出された室外ユニット（3n）における室外ファン（16n）のファンステップ（Sn）を上げる制御を行う。一方、優先度制御手段（35）では、各室外ファン（16a,16b,16c）のファンステップ（S1,S2,S3）同士が２つ以上差があかないように制御する。したがって、この制御においては、実際のファンステップ（Sn）と、優先度制御手段（35）で優先度を決める際に用いる優先度ファンステップ（Spn）とを用いる。
【０１０４】
以下、個別制御手段（34）及び優先度制御手段（35）による制御を図１０に基づいて説明する。
【０１０５】
まず、過冷却度検出手段（33）によって、各室外ユニット（3a,3b,3c）の過冷却度を検出する（ステップS25）。検出した過冷却度のうち、最大過冷却度（SCmax）及び最小過冷却度（SCmin）の差と予め設定した閾値（SCth）とを比較する（ステップS26）。
【０１０６】
最大過冷却度（SCmax）及び最小過冷却度（SCmin）の差が閾値（SCth）よりも大きい場合は、最小過冷却度（SCmin）が検出された室外ユニット（Sn）における室外ファン（16n）のファンステップ（Sn）を１つ上げて、切換手段（31）にファンステップ（Sn）を切り替えさせる（Sn=Sn+1）（ステップS27）。ここでは、上記優先度ファンステップ（Spn）は変更せずにそのままとする（Spn=Spn）。
【０１０７】
そして、ステップS26に戻り、最大過冷却度（SCmax）及び最小過冷却度（SCmin）の差と閾値（SCth）とを再び比較する。最大過冷却度（SCmax）及び最小過冷却度（SCmin）の差が閾値（SCth）よりも大きい場合、ステップS27に戻り、最大過冷却度（SCmax）と最小過冷却度（SCmin）との差が閾値（SCth）よりも小さくなるまで、最小過冷却度（SCmin）が検出された室外ファン（16n）のファンステップ（Sn）を１つ上げる制御を繰り返す。
【０１０８】
ステップS26において、最大過冷却度（SCmax）と最小過冷却度（SCmin）との差が閾値（SCth）以下である場合、優先度制御手段（35）による制御を開始する。
【０１０９】
なお、本実施形態２における各室外ファン（16a,16b,16c）の容量は上記実施形態１と同じであり、ファンステップ（Sn）を上げる場合は、容量の小さいものほど優先度が高く、第１室外ファン（16a）、第２室外ファン（16b）、第３室外ファン（16c）の順になっている。一方、ファンステップ（Sn）を下げる場合は、容量の大きいものほど優先度が高く、第３室外ファン（16c）、第２室外ファン（16b）、第１室外ファン（16a）の順になっている。
【０１１０】
まず、第１室外ユニット（3a）で検出した高圧圧力（Ph）及び予め設定された目標高圧値（Pta）の差の絶対値と予め設定された閾値（Pth）とを比較する（ステップS28）。
【０１１１】
高圧圧力（Ph）及び目標高圧値（Pta）の差の絶対値が閾値（Pth）よりも小さい場合、制御を終了する。高圧圧力（Ph）及び目標高圧値（Pta）の差の絶対値が閾値（Pth）以上である場合、高圧圧力（Ph）と目標高圧値（Pta）との差が０よりも大きいか小さいかを判断する（ステップS29）。
【０１１２】
高圧圧力（Ph）と目標高圧値（Pta）との差が０よりも大きい場合、すなわち、高圧圧力（Ph）が目標高圧値（Pta）よりも大きい場合、ファンステップ（Sn）を上げる指示が出される（ステップS30）。
【０１１３】
次に、優先度に基づいて、ファンステップ（Sn）を上げる室外ファン（16ｎ）を選定する。具体的には、まず、優先度ファンステップ（Sp1,Sp2,Sp3）が全て同じであるか否かを判断する（ステップS31）。
【０１１４】
優先度ファンステップ（Sp1,Sp2,Sp3）が全て互いに同じである場合、優先度の一番高い第１室外ファン（16a）の第１優先度ファンステップ（Sp1）を１つ上げる（Sp1=Sp1+1）（ステップS32）。これとともに、実際の第１ファンステップ（S1）も１つ上げて切換手段（31）に切り替えさせる（S1=S1+1）。
【０１１５】
優先度ファンステップ（Sp1,Sp2,Sp3）が全て互いに同じではない場合、第１室外ファン（16a）の第１優先度ファンステップ（Sp1）が第２室外ファン（16b）の第２優先度ファンステップ（Sp2）よりも１つ大きいか否かを判断する（ステップS33）。
【０１１６】
第１優先度ファンステップ（Sp1）が第２優先度ファンステップ（Sp2）よりも１つ大きい場合、第１優先度ファンステップ（Sp1）を１つ上げると、第２優先度ファンステップ（Sp2）との差が２つあいてしまうため、２番目に優先度の高い第２優先度ファンステップ（Sp2）を１つ上げる（Sp2=Sp2+1）（ステップS34）。これとともに、実際の第２ファンステップ（S2）も１つ上げて、切換手段（31）に切り替えさせる（S2=S2+1）。
【０１１７】
ステップS31において、第１優先度ファンステップ（Sp1）が第２優先度ファンステップ（Sp2）よりも１つ大きくない場合、第１優先度ファンステップ（Sp1）と第２優先度ファンステップ（Sp2）とが同じで、第３優先度ファンステップ（Sp3）が第１及び第２優先度ファンステップ（Sp1,Sp2）よりも１つ小さいと考えられるため、第３優先度ファンステップ（Sp3）を１つ上げる（Sp3=Sp3+1）（ステップS35）。これとともに、実際の第３優先度ファンステップ（Sp3）も１つ上げて、切換手段（31）に切り替えさせる（S3=S3+1）。
【０１１８】
一方、ステップS29において、高圧圧力（Ph）と目標高圧値（Pta）との差が０よりも小さい場合、すなわち、高圧圧力（Ph）が目標高圧値（Pta）よりも小さい場合、ファンステップ（Sn）を下げる指示が出される（ステップS36）。
【０１１９】
そして、優先度に基づいて、ファンステップを下げる室外ファン（16n）を選定する。具体的には、まず、優先度ファンステップ（Sp1,Sp2,Sp3）が互いに全て同じであるか否かを判断する（ステップS37）。
【０１２０】
優先度ファンステップ（Sp1,Sp2,Sp3）が全て同じである場合、優先度の一番高い第３室外ファン（16c）の第３優先度ファンステップ（Sp3）を１つ下げる（Sp3=Sp3-1）（ステップS38）。これとともに、実際の第３ファンステップ（S3）も１つ下げて、切換手段（31）に切り替えさせる（S3=S3-1）。
【０１２１】
優先度ファンステップ（Sp1,Sp2,Sp3）が互いに全て同じではない場合、第１優先度ファンステップ（Sp1）が第２優先度ファンステップ（Sp2）よりも１つ大きいか否かを判断する（ステップS39）。
【０１２２】
第１優先度ファンステップ（Sp1）が第２優先度ファンステップ（Sp2）よりも１つ大きい場合、第２優先度ファンステップ（Sp2）と第３優先度ファンステップ（Sp3）とが同じで、第１優先度ファンステップ（Sp1）が第２及び第３優先度ファンステップ（Sp2,Sp3）よりも１つ大きいと考えられる。このため、優先度の高い第２及び第３優先度ファンステップ（Sp3）を１つ下げると、第１優先度ファンステップ（Sp1）との間に差が２つあいてしまうので、第１優先度ファンステップ（Sp1）を１つ下げる（Sp1=Sp1-1）（ステップS40）。これとともに、実際の第１ファンステップ（S1）も１つ下げて、切換手段（31）に切り替えさせる（S1=S1-1）。
【０１２３】
第１優先度ファンステップ（Sp1）が第２優先度ファンステップ（Sp2）よりも１つ大きくない場合、第１及び第２優先度ファンステップ（Sp1,Sp2）が同じで、第３優先度ファンステップ（Sp3）が第１及び第２優先度ファンステップ（Sp1,Sp2）よりも１つ小さいと考えられるため、２番目に優先度の高い第２優先度ファンステップ（Sp2）を１つ下げる（Sp2=Sp2-1）（ステップS41）。これとともに、実際の第２ファンステップ（S2）も１つ下げて、切換手段（31）に切り替えさせる（S2=S2-1）。
【０１２４】
このように、いずれかの室外ファン（16n）のファンステップ（Sn）を増減して制御を終了する。上記ステップS25からステップS41までの制御を冷房運転時に任意の間隔を空けて繰り返し行う。
【０１２５】
（実施形態２の効果）
本実施形態２の空気調和装置（1）によれば、個別制御手段（34）によって、実際の各室外熱交換器（13a,13b,13c）の過冷却度を検出し、この過冷却度に基づいて各過冷却度が同じになるように室外ファン（16a,16b,16c）を個別に制御する。その後、さらに優先度制御手段（35）によって室外ファン（16a,16b,16c）の容量に基づいた優先度で冷媒の高圧圧力（Ph）が目標高圧値（Pta）となるように室外ファン（16a,16b,16c）の制御を行う。このため、個別制御手段（34）によって各過冷却度が同じになるように制御するので、各室外ユニット（3a,3b,3c）の過冷却度のばらつきを抑制することができ、各室外ユニット（3a,3b,3c）における冷媒の循環量の差をより一層小さくすることができる。これとともに、高圧圧力（Ph）を基に優先度の順に室外ファン（16a,16b,16c）の回転数を増減することで各室外ユニット（3a,3b,3c）の運転のばらつきを抑制することができる。
【０１２６】
なお、上述の実施形態は、本発明の例示であって、本発明はこの例に限定されるものではない。
【産業上の利用可能性】
【０１２７】
以上説明したように、本発明は、室内ユニットに対して互いに並列な複数の室外ユニットが接続された空気調和装置について有用である。
【符号の説明】
【０１２８】
1     空気調和装置
2a    第１室内ユニット（室内ユニット）
2b    第２室内ユニット（室内ユニット）
2c    第３室内ユニット（室内ユニット）
3a    第１室外ユニット（室外ユニット）
3b    第２室外ユニット（室外ユニット）
3c    第３室外ユニット（室外ユニット）
12a   第１圧縮機（圧縮機）
12b   第２圧縮機（圧縮機）
12c   第３圧縮機（圧縮機）
13a   第１室外熱交換器（室外熱交換器）
13b   第２室外熱交換器（室外熱交換器）
13c   第３室外熱交換器（室外熱交換器）
16a   第１室外ファン（室外ファン）
16b   第２室外ファン（室外ファン）
16c   第３室外ファン（室外ファン）
21a   第１高圧側圧力センサ（高圧側圧力センサ）
32    高圧制御手段
33    過冷却度制御手段
34    個別制御手段
35    優先度制御手段
Ph    高圧圧力
Pta   目標高圧値    
【手続補正２】
【補正対象書類名】特許請求の範囲
【補正対象項目名】全文
【補正方法】変更
【補正の内容】
【特許請求の範囲】
【請求項１】
圧縮機（12a,12b,12c）、室外熱交換器（13a,13b,13c）及び室外ファン（16a,16b,16c）を有しかつ互いに並列に接続された複数の室外ユニット（3a,3b,3c）と、室内熱交換器（8a,8b,8c）を有する室内側ユニット（2a,2b,2c）とを備えた空気調和装置であって、
上記室外ユニット（3a,3b,3c）の高圧圧力（Ph）を検出する高圧側圧力センサ（21a）と、
上記高圧側圧力センサ（21a）で検出した高圧圧力（Ph）が目標高圧値（Pta）になるように、上記各室外ファン（16a,16b,16c）の容量に基づいて設定した優先度で室外ファン（16a,16b,16c）の回転数を増減させる優先度制御手段（35）とを備えていることを特徴とする空気調和装置。
【請求項２】
請求項１の空気調和装置において、
上記各室外熱交換器（13a,13b,13c）の出口側での冷媒の過冷却度を検出する過冷却度検出手段（33）と、
上記過冷却度検出手段（33）で検出された過冷却度に基づいて室外ファン（16a,16b,16c）の回転数を個別に制御する個別制御手段（34）とをさらに備えていることを特徴とする空気調和装置。